(57)【要約】Single Rx/Tx capabilityを有する端末装置がDual connectivityをサポートする場合に、リソース割当の柔軟性を向上させる。複数のUL-DL Configurationのいずれかを用いて、各サブフレームにおいて複数の基地局のいずれかと移動局とが通信を行うシステムにおける基地局（１００，３００）において、信号割当部（１０５，３０５）は、複数の基地局の各々に対する、移動局に設定されたUL-DL Configurationに含まれるサブフレームの割当を示す割当情報に基づいて、移動局に送信する信号を割り当てる。UL-DL Configurationに含まれる複数のサブフレームは、UL grant-PUSCHタイミング及びDL assignment(PDSCH)-HARQ ACKタイミングによって関連付けられたサブフレームで構成されるDL/Sp/ULセット毎に前記複数の基地局装置の各々に対して割り当てられる。
2015045234.tif 000002
【特許請求の範囲】
【請求項１】
複数の基地局装置と通信する移動局装置に設定された構成パターンに含まれる複数のサブフレームの割当てを示す割当情報に基づいて割り当てられたサブフレームに、前記移動局装置に送信する信号を配置し、前記構成パターンは、ダウンリンクサブフレーム及びアップリンクサブフレームを含む複数のサブフレームからなるフレームのための複数の構成パターンの一つである、割当部と、
前記移動局装置から信号を受信し、前記割当情報に基づいて、前記受信した信号から、自装置宛ての信号を分離する分離部と、
を具備し、
前記複数の構成パターンの各々には、
上り回線割当情報が送信されるダウンリンクサブフレームと、前記上り回線割当情報によって割り当てられた上り信号が送信されるアップリンクサブフレームとが関連付けられた第１の対応付け、及び、
下り回線割当情報と前記下り回線割当情報によって割り当てられた下り信号とが送信されるダウンリンクサブフレームと、前記下り信号に対する応答信号が送信されるアップリンクサブフレームとが関連付けられた第２の対応付け、が設定され、
前記複数の構成パターンの各々は、前記第１の対応付け及び前記第２の対応付けによって関連付けられたサブフレームで構成されるセットを複数個含み、前記複数のサブフレームは、セット単位で前記複数の基地局装置の各々に対して割り当てられる、
基地局装置。
【請求項２】
前記移動局装置が通信する基地局装置の切替処理はサブフレーム単位で行われ、前記複数の基地局装置は、第１の基地局装置と第２の基地局装置とを含み、
前記第１の基地局装置と前記移動局装置との間の第１のタイミングアドバンス（ＴＡ：Timing advance）、前記第２の基地局装置と前記移動局装置との間の第２のＴＡ、及び、前記第１の基地局装置に割り当てられるサブフレームと前記第２の基地局装置に割り当てられるサブフレームとの切替タイミングに基づいて、前記移動局装置における基地局装置の切替処理に要する時間を設定するために、前記切替タイミングの直前又は直後のサブフレーム内のシンボルを削減するか否かが判断される、判断部、
をさらに具備する請求項１に記載の基地局装置。
【請求項３】
アップリンクサブフレームからダウンリンクサブフレームへ切り替わるタイミングで、前記切替処理が行われる場合、
前記判断部は、前記切替処理に要する時間が前記第１のＴＡと前記第２のＴＡとの合計値の１／２の値以下の場合は、前記切替タイミングの直前又は直後のサブフレーム内のシンボルは削減されないと判断し、
前記切替処理に要する時間が前記合計値の１／２の値よりも大きい場合は、前記切替タイミングの直前又は直後のサブフレーム内のシンボルは削減されると判断する、
請求項２に記載の基地局装置。
【請求項４】
アップリンクサブフレームからアップリンクサブフレームへ切り替わるタイミングで、前記切替処理が行われ、かつ、前記第１のＴＡ及び前記第２のＴＡにおいて、切替前のアップリンクサブフレームが割り当てられた基地局装置のＴＡが、切替後のアップリンクサブフレームが割り当てられた他の基地局装置のＴＡよりも長い場合、
前記判断部は、前記切替処理に要する時間が前記第１のＴＡと前記第２のＴＡとの差の１／２の値以下の場合は、前記切替タイミングの直前又は直後のサブフレーム内のシンボルは削減されないと判断し、
前記切替処理に要する時間が前記差の１／２の値よりも大きい場合は、前記切替タイミングの直前又は直後のサブフレーム内のシンボルは削減されると判断する、
請求項２に記載の基地局装置。
【請求項５】
ダウンリンクサブフレームからダウンリンクサブフレームへ切り替わるタイミングで前記切替処理が行われ、かつ、
前記第１のＴＡ及び前記第２のＴＡにおいて、切替前のダウンリンクサブフレームが割り当てられた基地局装置のＴＡが、切替後のダウンリンクサブフレームが割り当てられた他の基地局装置のＴＡよりも短い場合、
前記判断部は、前記切替処理に要する時間が前記第１のＴＡと前記第２のＴＡとの差の１／２の値以下の場合は、前記切替タイミングの直前又は直後のサブフレーム内のシンボルは削減されないと判断し、
前記切替処理に要する時間が前記差の１／２の値よりも大きい場合は、前記切替タイミングの直前又は直後のサブフレーム内のシンボルは削減されると判断する、
請求項２に記載の基地局装置。
【請求項６】
前記移動局装置が通信する基地局装置の切替処理は１フレーム単位で行われ、
前記複数の構成パターンの各々において、前記切替処理のタイミングは、アップリンクサブフレームからダウンリンクサブフレームへ切り替わるタイミングのうち、サブフレーム番号が最も小さいサブフレームを含むフレームのタイミングである、
請求項１に記載の基地局装置。
【請求項７】
前記移動局装置に設定された構成パターンに含まれる複数のセットのうち一つのセットに含まれるダウンリンクサブフレームとアップリンクサブフレームとが、前記切替タイミング直前のフレームと直後のフレームにまたがる場合、前記ダウンリンクサブフレームは前記移動局装置に対して使用されず、
さらに、前記第１の対応付け又は前記第２の対応付けによって前記アップリンクサブフレームと関連付けられた、前記切替タイミングよりも後に配置された他のダウンリンクサブフレームが存在する場合、前記アップリンクサブフレームは前記移動局装置に対して使用され、前記他のダウンリンクサブフレームが存在しない場合、前記アップリンクサブフレームは前記移動局装置に対して使用されない、
請求項６に記載の基地局装置。
【請求項８】
前記切替処理のタイミングにおける切替直後のダウンリンクサブフレームは前記切替処理に要する時間として設定される、
請求項６に記載の基地局装置。
【請求項９】
前記移動局装置に対して使用されない前記ダウンリンクサブフレーム又は前記アップリンクサブフレームには、前記第１の対応付け及び前記第２の対応付けに従って割り当てられる信号以外の信号が割り当てられる、
請求項７に記載の基地局装置。
【請求項１０】
前記移動局装置に対して使用されない前記ダウンリンクサブフレーム又は前記アップリンクサブフレームが３サブフレーム以上連続する場合、
前記３サブフレーム以上のサブフレームのうち、両端のサブフレームは、前記切替処理に使用され、
前記３サブフレーム以上のサブフレームのうち、前記両端のサブフレーム以外のサブフレームは、前記移動局装置に対するデータ割当に使用される、
請求項７に記載の基地局装置。
【請求項１１】
複数の基地局装置から信号を受信し、自装置に設定された構成パターンに含まれる複数のサブフレームの割当てを示す割当情報に基づいて、前記受信した信号から、前記複数の基地局装置の各々から送信される信号をそれぞれ分離し、前記構成パターンは、ダウンリンクサブフレーム及びアップリンクサブフレームを含む複数のサブフレームからなるフレームのための複数の構成パターンの一つである、分離部と、
前記割当情報に基づいて、前記複数の基地局装置の各々に送信する信号をそれぞれ割り当てる割当部と、
を具備し、
前記複数の構成パターンの各々には、
上り回線割当情報が送信されるダウンリンクサブフレームと、前記上り回線割当情報によって割り当てられた上り信号が送信されるアップリンクサブフレームとが関連付けられた第１の対応付け、及び、
下り回線割当情報と前記下り回線割当情報によって割り当てられた下り信号とが送信されるダウンリンクサブフレームと、前記下り信号に対する応答信号が送信されるアップリンクサブフレームとが関連付けられた第２の対応付け、が設定され、
前記複数の構成パターンの各々は、前記第１の対応付け及び前記第２の対応付けによって関連付けられたサブフレームで構成されるセットを複数個含み、前記複数のサブフレームは、セット単位で前記複数の基地局装置の各々に対して割り当てられる、
移動局装置。
【請求項１２】
複数の基地局装置と通信する移動局装置に設定された構成パターンに含まれる複数のサブフレームの割当てを示す割当情報に基づいて割り当てられたサブフレームに、前記移動局装置に送信する信号を配置し、前記構成パターンは、ダウンリンクサブフレーム及びアップリンクサブフレームを含む複数のサブフレームからなるフレームのための複数の構成パターンの一つであり、
前記移動局装置から信号を受信し、前記割当情報に基づいて、前記受信した信号から、自装置宛ての信号を分離し、
前記複数の構成パターンの各々には、
上り回線割当情報が送信されるダウンリンクサブフレームと、前記上り回線割当情報によって割り当てられた上り信号が送信されるアップリンクサブフレームとが関連付けられた第１の対応付け、及び、
下り回線割当情報と前記下り回線割当情報によって割り当てられた下り信号とが送信されるダウンリンクサブフレームと、前記下り信号に対する応答信号が送信されるアップリンクサブフレームとが関連付けられた第２の対応付け、が設定され、
前記複数の構成パターンの各々は、前記第１の対応付け及び前記第２の対応付けによって関連付けられたサブフレームで構成されるセットを複数個含み、前記複数のサブフレームは、セット単位で前記複数の基地局装置の各々に対して割り当てられる、
通信方法。
【請求項１３】
複数の基地局装置から信号を受信し、自装置に設定された構成パターンに含まれる複数のサブフレームの割当てを示す割当情報に基づいて、前記受信した信号から、前記複数の基地局装置の各々から送信される信号をそれぞれ分離し、前記構成パターンは、ダウンリンクサブフレーム及びアップリンクサブフレームを含む複数のサブフレームからなるフレームのための複数の構成パターンの一つであり、
前記割当情報に基づいて、前記複数の基地局装置の各々に送信する信号をそれぞれ割り当て、
前記複数の構成パターンの各々には、
上り回線割当情報が送信されるダウンリンクサブフレームと、前記上り回線割当情報によって割り当てられた上り信号が送信されるアップリンクサブフレームとが関連付けられた第１の対応付け、及び、
下り回線割当情報と前記下り回線割当情報によって割り当てられた下り信号とが送信されるダウンリンクサブフレームと、前記下り信号に対する応答信号が送信されるアップリンクサブフレームとが関連付けられた第２の対応付け、が設定され、
前記複数の構成パターンの各々は、前記第１の対応付け及び前記第２の対応付けによって関連付けられたサブフレームで構成されるセットを複数個含み、前記複数のサブフレームは、セット単位で前記複数の基地局装置の各々に対して割り当てられる、
通信方法。
【発明の詳細な説明】
【技術分野】
【０００１】
本開示は、基地局装置、移動局装置及び通信方法に関する。
【背景技術】
【０００２】
近年、セルラー移動体通信システムにおいては、情報のマルチメディア化に伴い、音声データのみならず、静止画像データ及び動画像データ等の大容量データを伝送することが一般化しつつある。また、LTE-Advanced（Long Term Evolution Advanced）では、広帯域（broadband）の無線帯域、Multiple-Input Multiple-Output（MIMO）伝送技術、干渉制御技術を利用して高伝送レートを実現する検討が盛んに行われている。【０００３】
さらに、LTE-Advancedでは、送信電力の低い基地局装置（e Node B (eNB)、セルと呼ばれることもある。以下、単に「基地局」と呼ぶ）であるスモールセルを配置し、ホットスポットの高伝送レートを実現することが検討されている。ここで、スモールセルと送信電力の高い基地局であるマクロセルとが同一周波数帯を用いる場合を「スモールセルシナリオ１」と呼ぶ。スモールセルとマクロセルとが異なる周波数帯を用いる場合を「スモールセルシナリオ２」と呼ぶ。そして、マクロセルが存在せずにスモールセルのみが存在する場合を「スモールセルシナリオ３」と呼ぶ（例えば、非特許文献１参照）。【０００４】
また、スモールセルでは、移動局装置（User Equipment (UE)と呼ばれることもある。以下、単に「移動局」と呼ぶ）に対して、non-ideal backhaulを介して接続される複数の基地局のリソースが割り当てられることが考えられている。これは、「Dual Connectivity」と呼ばれる。Dual Connectivityでは、移動局のモビリティを管理する基地局を「Master eNB（MeNB）」と呼び、MeNB以外に移動局へリソースを割り当てる基地局を「Secondary eNB（SeNB）」と呼ぶ。移動局は、MeNB及びSeNBの両方のリソースを使用することができる。【０００５】
Dual Connectivityを適用する移動局の機能（Capability）として、以下の４つが考えられている。
a) Single Rx/Tx (which means a UE having a single Rx and a single Tx chain)
b) Single Rx/Multiple Tx
c) Multiple Rx/Single Tx
d) Multiple Rx/Tx (which means a UE having multiple Rx and multiple Tx chains)
具体的には、Multiple Rxとは、移動局がMeNBからの信号とSeNBからの信号を同時に受信できることを示す。一方、Single Rxとは、移動局がMeNBからの信号とSeNBからの信号を同時に受信することができないことを示す。すなわち、Single Rxの場合、移動局は、MeNBとSeNBとを切り替えて信号を受信する必要がある。また、Multiple Txとは、移動局がMeNBへの信号とSeNBへの信号を同時に送信できることを示す。一方、Single Txとは、移動局がMeNBへの信号とSeNBへの信号を同時に送信することができないことを示す。すなわち、Single Txの場合、移動局は、MeNBとSeNBとを切り替えて信号を送信する必要がある。【０００６】
ＴＤＤ（Time Division Duplex）システムにおいて、上述したSingle Rx/Tx capabilityを有する移動局がDual connectivityをサポートするためには、以下のサブフレームを定める必要がある。MeNBと送受信するためのサブフレーム（以下、MeNBサブフレームと呼ぶこともある）と、SeNBと送受信するためのサブフレーム（以下、SeNBサブフレームと呼ぶこともある）である。MeNBとSeNBとを切り替えながら基地局と通信する移動局に対して、MeNBサブフレーム及びSeNBサブフレームを割り当てる方法が提案されている（例えば、非特許文献２参照）。非特許文献２には、通信フレームにおける上りリンクと下りリンクの通信タイミングを定義する複数の構成パターン（UL-DL Configurations）の一つ（Config#1）が開示されている。非特許文献２では、Config#1の通信フレームにおいて連続する複数のＵＬサブフレームは同一のeNBに割り当てられている。そして、ＵＬサブフレームからＤＬサブフレームに切り替わるタイミングで、MeNBサブフレームがSeNBサブフレームに切り替えられている。
【先行技術文献】
【非特許文献】
【０００７】
【非特許文献１】3GPP TR 36.842 V0.2.0, “Study on Small Cell Enhancements for E-UTRA and E-UTRAN - Higher layer aspects”
【非特許文献２】R2-132860, “Challenges in the uplink to support dual connectivity,” Intel Corporation
【発明の概要】
【０００８】
しかし、非特許文献２では、通信フレームに含まれる連続するＵＬサブフレームが同一のeNBに割り当てられるので、リソース（サブフレーム）割当の柔軟性が低いという課題がある。
【０００９】
本開示の一態様は、Single Rx/Tx capabilityを有する移動局装置がDual connectivityをサポートする場合に、リソース割当の柔軟性を向上させることができる基地局装置、移動局装置及び通信方法を提供する。
【００１０】
本開示の一態様に係る基地局装置は、複数の基地局装置と通信する移動局装置に設定された構成パターンに含まれる複数のサブフレームの割当てを示す割当情報に基づいて割り当てられたサブフレームに、移動局装置に送信する信号を配置し、上記構成パターンは、ダウンリンクサブフレーム及びアップリンクサブフレームを含む複数のサブフレームからなるフレームのための複数の構成パターンの一つである、割当部と、移動局装置から信号を受信し、割当情報に基づいて、受信した信号から、自装置宛ての信号を分離する分離部と、を具備し、複数の構成パターンの各々には、上り回線割当情報が送信されるダウンリンクサブフレームと、上り回線割当情報によって割り当てられた上り信号が送信されるアップリンクサブフレームとが関連付けられた第１の対応付け、及び、下り回線割当情報と前記下り回線割当情報によって割り当てられた下り信号とが送信されるダウンリンクサブフレームと、下り信号に対する応答信号が送信されるアップリンクサブフレームとが関連付けられた第２の対応付け、が設定され、複数の構成パターンの各々は、第１の対応付け及び第２の対応付けによって関連付けられたサブフレームで構成されるセットを複数個含み、複数のサブフレームは、セット単位で複数の基地局装置の各々に対して割り当てられる。
【００１１】
本開示の一態様に係る移動局装置は、複数の基地局装置から信号を受信し、自装置に設定された構成パターンに含まれるサブフレームの割当てを示す割当情報に基づいて、受信した信号から、複数の基地局装置の各々から送信される信号をそれぞれ分離し構成パターンは、ダウンリンクサブフレーム及びアップリンクサブフレームを含む複数のサブフレームからなるフレームのための複数の構成パターンの一つである、分離部と、割当情報に基づいて、複数の基地局装置の各々に送信する信号をそれぞれ割り当てる割当部と、を具備し、複数の構成パターンの各々には、上り回線割当情報が送信されるダウンリンクサブフレームと、上り回線割当情報によって割り当てられた上り信号が送信されるアップリンクサブフレームとが関連付けられた第１の対応付け、及び、下り回線割当情報と下り回線割当情報によって割り当てられた下り信号とが送信されるダウンリンクサブフレームと、下り信号に対する応答信号が送信されるアップリンクサブフレームとが関連付けられた第２の対応付け、が設定され、複数の構成パターンの各々は、第１の対応付け及び第２の対応付けによって関連付けられたサブフレームで構成されるセットを複数個含み、複数のサブフレームは、セット単位で複数の基地局装置の各々に対して割り当てられる構成を採る。なお、これらの包括的または具体的な態様は、システム、方法、集積回路、または、コンピュータプログラムで実現されてもよく、システム、装置、方法、集積回路およびコンピュータプログラムの任意な組み合わせで実現されてもよい。
【００１２】
本開示によれば、Single Rx/Tx capabilityを有する移動局装置がDual connectivityをサポートする場合に、リソース割当の柔軟性を向上させることができる。
【図面の簡単な説明】
【００１３】
【図１】UL-DL Configurationsを示す図
【図２】本開示の実施の形態１に係る基地局の要部構成を示すブロック図
【図３】本開示の実施の形態１に係る移動局の要部構成を示すブロック図
【図４】本開示の実施の形態に係る基地局の構成を示すブロック図
【図５】本開示の実施の形態に係る移動局の構成を示すブロック図
【図６】本開示の実施の形態１に係るConfig#0におけるサブフレームセットを示す図
【図７】本開示の実施の形態１に係るConfig#1におけるサブフレームセットを示す図
【図８】本開示の実施の形態１に係るConfig#2におけるサブフレームセットを示す図
【図９】本開示の実施の形態１に係るConfig#3におけるサブフレームセットを示す図
【図１０】本開示の実施の形態１に係るConfig#4におけるサブフレームセットを示す図
【図１１】本開示の実施の形態１に係るConfig#5におけるサブフレームセットを示す図
【図１２】本開示の実施の形態１に係るConfig#6におけるサブフレームセットを示す図
【図１３】本開示の実施の形態１に係るConfig#1におけるリソース割当例を示す図
【図１４】本開示の実施の形態１に係るConfig#1におけるリソース割当例を示す図
【図１５】本開示の実施の形態１に係るeNBの切替タイミングを示す図（ＵＬからＤＬ）
【図１６】本開示の実施の形態１に係るeNBの切替タイミングを示す図（ＵＬからＵＬ）
【図１７】本開示の実施の形態１に係るeNBの切替タイミングを示す図（ＤＬからＤＬ）
【図１８】本開示の実施の形態１に係るeNBの切替タイミングを示す図（ＤＬからＳｐ）
【図１９】本開示の実施の形態１に係るeNBの切替タイミングを示す図（ＳｐからＵＬ）
【図２０】本開示の実施の形態２に係るConfig#0のリソース割当例を示す図（動作例１）
【図２１】Config#0におけるその他のリソース割当例を示す図
【図２２】本開示の実施の形態２に係るConfig#1のリソース割当例を示す図（動作例１）
【図２３】本開示の実施の形態２に係るConfig#2のリソース割当例を示す図（動作例１）
【図２４】本開示の実施の形態２に係るConfig#3のリソース割当例を示す図（動作例１）
【図２５】本開示の実施の形態２に係るConfig#4のリソース割当例を示す図（動作例１）
【図２６】本開示の実施の形態２に係るConfig#5のリソース割当例を示す図（動作例１）
【図２７】本開示の実施の形態２に係るConfig#6のリソース割当例を示す図（動作例１）
【図２８】本開示の実施の形態２に係るその他のリソース割当例を示す図（動作例１）
【図２９】本開示の実施の形態２に係るConfig#0のリソース割当例を示す図（動作例２）
【図３０】本開示の実施の形態２に係るConfig#1のリソース割当例を示す図（動作例２）
【図３１】本開示の実施の形態２に係るConfig#2のリソース割当例を示す図（動作例２）
【図３２】本開示の実施の形態２に係るConfig#3のリソース割当例を示す図（動作例２）
【図３３】本開示の実施の形態２に係るConfig#4のリソース割当例を示す図（動作例２）
【図３４】本開示の実施の形態２に係るConfig#5のリソース割当例を示す図（動作例２）
【図３５】本開示の実施の形態２に係るConfig#6のリソース割当例を示す図（動作例２）
【図３６】本開示の実施の形態２に係るその他のリソース割当例を示す図
【発明を実施するための形態】
【００１４】
以下、本開示の各実施の形態について、図面を参照して詳細に説明する。なお、実施の形態において、同一の構成要素には同一の符号を付し、その説明は重複するので省略する。
【００１５】
（本開示の実施の形態の基礎となった知見）
ＬＴＥには、ＦＤＤ（Frequency Division Duplex）システムとＴＤＤ（Time Division Duplex）システムとがある。ＦＤＤシステムでは、上り単位バンド（上りComponent Carrier（ＣＣ）と呼ばれることもある）と、下り単位バンド（下りＣＣと呼ばれることもある）とが異なる周波数帯域に割り当てられる。ＴＤＤシステムでは、下り単位バンドと上り単位バンドとが同一周波数帯域に割り当てられる。そして、時分割（time division）で下り回線（ＤＬ：downlink）と上り回線（ＵＬ：uplink）とを切り替えることによって、下り通信（downlink communication）と上り通信（uplink communication）とを行う。そのため、ＴＤＤシステムの場合、下り単位バンドは、「単位バンドにおける下り通信タイミング」とも表現できる。上り単位バンドは、「単位バンドにおける上り通信タイミング」とも表現できる。下り単位バンドと上り単位バンドとの切り替えは、例えば、図１に示すような構成パターン（UL-DL Configurations）に基づいて行われる。
【００１６】
どのUL-DL Configurationを用いるかは、ＳＩＢ１（System Information Block Type 1）と呼ばれる報知信号を用いて移動局に通知される。図１に示す各UL-DL Configurationでは、１フレーム（10msec）ごとに、下り通信タイミングと上り通信タイミングとがサブフレーム単位（すなわち、1msec単位）で設定される。各UL-DL Configurationは、下り通信サブフレーム（Downlink Subframe）と上り通信サブフレーム（Uplink Subframe）との割合を変更することができる。これにより、下り通信に対するスループット及び上り通信に対するスループットの要求に柔軟に対応できる通信システムを構築することができる。例えば、図１は、下り通信サブフレームと上り通信サブフレームとの割合が異なる複数のUL-DL Configurations（Config#0〜6）の一例を示す。図１において、下り通信サブフレーム（ＤＬサブフレーム）を「Ｄ」で表し、上り通信サブフレーム（ＵＬサブフレーム）を「Ｕ」で表し、スペシャルサブフレームを「Ｓp」で表す。ここで、スペシャルサブフレームとは、下り通信サブフレームから上り通信サブフレームへの切り替えるためのサブフレームである。また、スペシャルサブフレームでは、下り通信サブフレームと同様、下りデータ通信が行われる場合がある。
【００１７】
ＴＤＤシステムでは、各UL-DL Configurationには以下のタイミングが規定されている。
−  UL grant-PUSCHタイミング
−  DL assignment(PDSCH)-HARQ ACKタイミング
−  PUSCH-PHICH(ACK)タイミング
図１に示す破線矢印は、それぞれUL grant-PUSCHタイミングにおけるＤＬサブフレームとＵＬサブフレームとの対応付けを示す。また、実線矢印は、DL assignment(PDSCH)-HARQ ACKタイミングにおけるＤＬサブフレームとＵＬサブフレームとの対応付け、又は、スペシャルサブフレームとＵＬサブフレームとの対応付けを示す。
【００１８】
UL grantは、上り通信データ（PUSCH：Physical Uplink Shared Channel）が割り当てられるリソースを示す上り回線割当情報である。UL grantは、ＤＬサブフレーム又はスペシャルサブフレームに配置されるPDCCH（Physical Downlink Control Channel）又はEPDCCH（Enhanced PDCCH）を用いて通知される。PUSCHは、UL grantが配置されるサブフレームから４サブフレーム以降のサブフレームに配置される。これは、移動局がUL grantを受信した後、PUSCHを生成するために必要な時間を確保するためである。また、PUSCH-PHICH(ACK)タイミングにおいて、PUSCHに対するPHICH（Physical Hybrid-ARQ Indicator Channel）は、PUSCHが配置されるサブフレームから４サブフレーム以降のサブフレームに配置される。これは、基地局がPUSCHを復調及び復号した後、PHICHを生成するために必要な時間を確保するためである。
【００１９】
DL assignmentは、下り通信データ（PDSCH：Physical Downlink Shared Channel）が割り当てられるリソースを示す下り回線割当情報である。DL assignmentは、UL grantと同様、ＤＬサブフレーム又はスペシャルサブフレームに配置されるPDCCH又はEPDCCHを用いて通知される。PDSCHは、DL assignmentが配置されるサブフレームと同一のサブフレームに配置される。PDSCHに対するACK/NACK（応答信号）は、DL assignment(PDSCH)-HARQ ACKタイミングに従って、DL assignment（PDSCH）が配置されたサブフレームから４サブフレーム以降のサブフレームに配置される。これは、基地局がDL assignment を受信したのち、PDSCHを復調及び復号し、ACK/NACKを判定するために必要な時間を確保するためである。ただし、UL-DL configurations 3,4（図１に示すConfig#3, #4）では、以下の問題があるので、ACK/NACKを割り当てるべきサブフレームの位置が分散されている。Config#3, #4では、DL assignmentが配置されたＤＬサブフレームから４サブフレーム以降の最初のＵＬサブフレームにACK/NACKが配置されると、複数のACK/NACKが１つのＵＬサブフレームに集中してしまう。すなわち、多くのPDSCHsに対する複数のACK/NACKが１つのＵＬサブフレームに集中して配置されることになる。そこで、Config#3, #4では、DL assignmentが配置されたＤＬサブフレームから４サブフレーム以降の最初のＵＬサブフレームよりも後方のＵＬサブフレームにも、ACK/NACKを割り当てる。
【００２０】
上記の課題について、本発明者らが鋭意検討したところ、以下の知見を見出し、本開示の実施の形態を想到するに至った。すなわち、複数の構成パターン（UL-DL Configurations）の各々は、第１の対応付け及び第２の対応付けによって関連付けられたサブフレームで構成される１つまたは複数のDL/Sp/ULセットに分解できる。各DL/Sp/ULセットは、ＤＬサブフレーム、スペシャルサブフレーム及びＵＬサブフレームの少なくとも一部を含む組み合わせとして定義される。そして、サブフレームをDL/Sp/ULセット単位で各基地局に割り当てれば、Single Rx/Tx capabilityを有する移動局装置がDual connectivityをサポートする場合でも、リソース割当の柔軟性を向上させることができる。
【００２１】
（実施の形態１）
［通信システムの構成］
本実施の形態に係る通信システムは、例えば、LTE-Advancedシステムであり、基地局１００及び３００と、移動局２００とを有する（図２、図３参照）。例えば、基地局１００はMeNBであり、基地局３００はSeNBである。すなわち、基地局１００は、移動局２００のモビリティを管理する。
【００２２】
また、移動局２００は、Dual connectivityをサポートし、Single Rx/Txの機能を有する。すなわち、移動局２００は、基地局１００（MeNB）と基地局３００（SeNB）との間で信号を同時に送信／受信することができない。よって、基地局１００と基地局３００とを切り替えて信号を送信／受信する。
【００２３】
つまり、本実施の形態に係る通信システムでは、複数の構成パターン（UL-DL Configuration）いずれかを用いて、各サブフレームにおいて複数の基地局１００，３００のいずれかと移動局２００とが通信を行う。各構成パターンは、１フレームを構成する複数のサブフレームを定義し、複数のサブフレームは、下り通信に用いられるＤＬサブフレーム及びスペシャルサブフレームと、上り通信に用いられるＵＬサブフレームとを含む。
【００２４】
［基地局１００，３００及び移動局２００の要部構成］
図２は、本実施の形態に係る基地局１００，３００の要部構成を示すブロック図である。信号割当部１０５，３０５は、複数の基地局１００，３００の各々について、eNB割当情報に基づいて、移動局２００に送信する信号をそれぞれ割り当てる。eNB割当情報は、移動局２００に設定されたUL-DL Configurationに含まれる複数のサブフレームの割当てを示す。信号分離部１０８，３０８は、eNB割当情報に基づいて、移動局２００から送信される信号から、自局宛ての信号を分離する。
【００２５】
図３は、本実施の形態に係る移動局２００の要部構成を示すブロック図である。移動局２００において、信号分離部２０２は、eNB割当情報に基づいて、受信信号から、複数の基地局の各々から送信される信号をそれぞれ分離する。信号割当部２０９は、eNB割当情報に基づいて、複数の基地局の各々に送信する信号をそれぞれ割り当てる。
【００２６】
また、複数のUL-DL Configurationsの各々には、複数の第１の対応付け（UL grant-PUSCHタイミング）及び複数の第２の対応付け（DL assignment(PDSCH)-HARQ ACKタイミング）が設定される。UL grant-PUSCHタイミングは、上り回線割当情報（UL grant）が送信されるＤＬサブフレーム又はスペシャルサブフレームと、当該UL grantによって割り当てられた信号（PUSCH）が送信されるＵＬサブフレームとを関連付ける。さらに、DL assignment(PDSCH)-HARQ ACKタイミングは、下り回線割当情報（DL assignment）と当該DL assignmentによって割り当てられた信号（PDSCH）とが送信されるＤＬサブフレーム又はスペシャルサブフレームと、当該PDSCHに対する応答信号（ACK/NACK）が送信されるＵＬサブフレームとを関連付ける。
【００２７】
ここで、発明者らは、各UL-DL Configurationが、UL grant-PUSCHタイミング及びDL assignment(PDSCH)-HARQ ACKタイミングによって関連付けられた複数のサブフレームで構成されるセット（DL/Sp/ULセット）に分解できることを見出した。そして、複数の基地局の各々に対して、各UL-DL Configurationに含まれるサブフレームをDL/Sp/ULセット単位で割り当てれば、柔軟なリソース割当に有効であることを想到するにいたった。
【００２８】
［基地局１００，３００の構成］
図４は、本開示の実施の形態に係る基地局１００，３００の構成を示すブロック図である。
【００２９】
図４において、基地局１００は、eNB割当情報生成部１０１、TA（Timing Advance）情報生成部１０２、誤り訂正符号化部１０３、変調部１０４、信号割当部１０５、送信部１０６、受信部１０７、信号分離部１０８、復調部１０９、及び、誤り訂正復号部１１０を有する。
【００３０】
図４において、基地局３００は、eNB割当情報受信部３０１、TA情報生成部３０２、誤り訂正符号化部３０３、変調部３０４、信号割当部３０５、送信部３０６、受信部３０７、信号分離部３０８、復調部３０９、及び、誤り訂正復号部３１０を有する。
【００３１】
つまり、基地局３００では、eNB割当情報受信部３０１以外の構成部は、基地局１００の構成部と同一である。以下では、主に基地局１００の各構成部の動作について説明し、基地局３００の構成部のうち、基地局１００と異なる構成部（eNB割当情報受信部３０１）についてのみ説明する。
【００３２】
基地局１００のeNB割当情報生成部１０１は、MeNB（基地局１００）に割り当てるDL/Sp/ULセット、及び、SeNB（基地局３００）に割り当てるDL/Sp/ULセットを設定し、設定したDL/Sp/ULセットを含むeNB割当情報を生成する。eNB割当情報生成部１０１は、生成したeNB割当情報を上位レイヤのシグナリングとして、誤り訂正符号化部１０３へ出力する。また、eNB割当情報生成部１０１は、基地局１００が信号を送受信するサブフレームを指示するために、eNB割当情報を信号割当部１０５及び信号分離部１０８へ出力する。また、eNB割当情報生成部１０１は、eNB割当情報を、基地局３００（SeNB）のeNB割当情報受信部３０１に通知する。基地局１００から基地局３００へのeNB割当情報の通知は例えば、X2インターフェース、Xnインターフェース又はS1インターフェース等の基地局間のインターフェースを介して行われる。
【００３３】
基地局３００のeNB割当情報受信部３０１は、基地局１００のeNB割当情報生成部１０１が生成したeNB割当情報を受信する。eNB割当情報受信部３０１は、基地局３００が信号を送受信するサブフレームを指示するために、eNB割当情報を信号割当部３０５及び信号分離部３０８へ出力する。
【００３４】
なお、「DL/Sp/ULセット」は、複数の基地局１００，３００の各々に対するサブフレーム割当の単位として用いられる。すなわち、移動局２００に設定されたUL-DL Configurationに含まれる複数のサブフレームのうちの一部を基地局に割り当てるのに用いられる。DL/Sp/ULセットは、各UL-DL Configurationにおいて、各eNBに対して割当可能なＤＬサブフレーム、スペシャルサブフレーム及びＵＬサブフレームの組み合わせとして定義される。また、DL/Sp/ULセットは、各UL-DL Configurationにおいて、UL grant-PUSCHタイミング及びDL assignment-HARQ ACKタイミングに従って対応付けられているＤＬサブフレーム又はスペシャルサブフレームとＵＬサブフレームとを含む。すなわち、DL/Sp/ULセットは、UL grant-PUSCHタイミング及びDL assignment-HARQ ACKタイミングによって関連付けられた複数のサブフレームのセットである。
【００３５】
eNB割当情報生成部１０１は、基地局１００及び基地局３００の各々に対して、移動局２００に設定されたUL-DL Configurationに含まれるサブフレームをDL/Sp/ULセット単位で割り当てる。そして、各基地局に割り当てられた一つ以上のDL/Sp/ULセットを示すeNB割当情報を生成する。
【００３６】
また、eNB割当情報に必要となるビット数は、UL-DL configuration毎に設定されるDL/Sp/ULセット数、及び、端末に通知するフレーム数により異なる。
【００３７】
TA（Timing Advance）情報生成部１０２は、基地局１００と移動局２００との間の伝搬遅延に応じて、TAを設定し、生成したTAを含むTA情報を生成する。TA情報生成部１０２は、生成したTA情報を上位レイヤのシグナリングとして、誤り訂正符号化部１０３へ出力する。TA情報生成部１０２は、基地局１００のTA情報を基地局３００のTA情報生成部３０２へ通知する。また、TA情報生成部１０２は、基地局３００のTA情報を、基地局３００のTA情報生成部３０２から受信する。基地局間のTA情報の通知は、例えば、X2インターフェース、Xnインターフェース又はS1インターフェース等の基地局間のインターフェースを介して行われる。これにより、基地局１００と基地局３００との間で各基地局のTA情報が共有される。
【００３８】
LTEでは、「TA」は複数の移動局から送信される上り回線信号（UL信号）の受信タイミングが基地局において揃うように、基地局と移動局との間の伝搬遅延に応じて設定される。TAは、例えば、移動局における下り回線信号（DL信号）を受信するＤＬサブフレーム又はスペシャルサブフレームのタイミングと、UL信号を送信するＵＬサブフレームのタイミングとの差を示す。例えば、TAとして、基地局と移動局との間の伝搬遅延のおおよそ２倍の値が設定される。移動局は、ＤＬサブフレームの受信タイミングよりTA分だけ早いタイミングでＵＬサブフレームでの送信を開始する。
【００３９】
また、TA情報生成部１０２は、移動局２００との通信を行う基地局を切り替える際のサブフレームがshort formatとなるか否かを判断する。また、TA情報生成部１０２は、short formatが必要と判断した場合、当該サブフレームにおいて削減されるシンボル数を決定する。
【００４０】
「short format」は、信号の送受信に使用されるSC-FDMA（Single Carrier Frequency Division Multiple Access）シンボル又はOFDM（Orthogonal Frequency Division Multiplexing）シンボルが削減されたフォーマットである。ここでは、short formatは、移動局２００と通信する基地局の切替処理に要する時間（以下、guard periodと呼ぶ）を確保するために使用される。guard periodは、例えば、基地局１００と基地局３００との間における、RF（Radio Frequency）の切替時間と、異なるパワーの信号を送受信するための調整に必要となるtransient timeとの合計時間として設定される。
【００４１】
TA情報生成部１０２は、guard periodを設定するために上記切替の直前又は直後のサブフレーム内のシンボル数を削減するか否か（short formatの要否）、及び、削減するシンボル数を決定する。short formatの要否及び削減するシンボル数の決定は、下記情報に基づいて行われる。例えば、基地局１００（MeNB）と移動局２００との間のTA、基地局３００と移動局２００との間のTAに基づいて行われる。さらに、基地局１００に割り当てられるサブフレームと基地局３００に割り当てられるサブフレームとの切替時のサブフレーム（つまり、どのサブフレーム間で切替が行われるか）にも基づいて行われる。具体的には、基地局１００と基地局３００との切替時のサブフレームのタイミングとして、下記が挙げられる。ＵＬサブフレームからＤＬサブフレーム、ＵＬサブフレームからＵＬサブフレーム、ＤＬサブフレームからＤＬサブフレームの切替タイミングである。さらに、ＤＬサブフレームからスペシャルサブフレーム、及び、スペシャルサブフレームからＵＬサブフレームの切替タイミングである。TA情報生成部１０２は、基地局１００と基地局３００との切替の組み合わせについて、切替時のサブフレームがshort formatとなるか否か、及び、short formatとなる場合に削減されるシンボル数を決定する。なお、TA情報生成部１０２におけるshort formatの要否、及び、削減されるシンボル数の決定方法の詳細については後述する。
【００４２】
TA情報生成部１０２は、short formatとなるサブフレームの組み合わせ、及び、削減されるシンボル数を示すTA情報を信号割当部１０５及び信号分離部１０８へ出力する。
【００４３】
誤り訂正符号化部１０３は、eNB割当情報生成部１０１からeNB割当情報を受信し、TA情報生成部１０２からTA情報を受信する。eNB割当情報及びTA情報は制御情報の一種である。そして、誤り訂正符号化部１０３は、送信データ信号（つまり、下り回線データ）、eNB割当情報、及び、TA情報を誤り訂正符号化し、符号化後の信号を変調部１０４に出力する。
【００４４】
変調部１０４は、誤り訂正符号化部１０３から受け取った信号を変調し、変調信号を信号割当部１０５に出力する。
【００４５】
信号割当部１０５は、eNB割当情報生成部１０１（基地局３００ではeNB割当情報受信部３０１）から入力されるeNB割当情報に基づいて、移動局２００に送信する信号を割り当てる。具体的には、信号割当部１０５は、eNB割当情報に基づいて、自局が使用可能なサブフレームを決定する。また、信号割当部１０５は、TA情報生成部１０２から入力される情報（short formatの要否、及び、short formatにおいて削減されるシンボル数）に基づいて、信号割当時にshort formatを使用するか否かを決定する。そして、信号割当部１０５は、決定したサブフレームにおいて、変調部１０４から受け取った変調信号（データ信号又は制御信号）を予め設定された下り回線リソースに割り当てる。
【００４６】
このように、下り回線データ及び制御情報（eNB割当情報及びTA情報を含む）を含む信号が所定のリソースに割り当てられることにより、送信信号が生成される。生成された送信信号は送信部１０６に出力される。
【００４７】
送信部１０６は、信号割当部１０５から受け取った送信信号に対して、アップコンバート等の所定の送信処理を施し、アンテナを介して移動局２００へ送信する。
【００４８】
受信部１０７は、移動局２００から送信された信号をアンテナを介して受信し、受信信号に対して、ダウンコンバート等の所定の受信処理を施す。受信部１０７は、受信処理後の信号を信号分離部１０８に出力する。
【００４９】
信号分離部１０８は、eNB割当情報生成部１０１から入力されるeNB割当情報に基づいて、受信部１０７から受け取る受信信号（移動局２００から送信される信号）から、自局宛ての信号を分離する。具体的には、信号分離部１０８は、eNB割当情報、及び、TA情報生成部１０２から入力される情報に基づいて、自局が使用可能なサブフレームを決定する。TA情報生成部１０２から入力される情報には、short formatの要否、及び、short formatにおいて削減されるシンボル数が含まれる。そして、信号分離部１０８は、受信部１０７から受け取る受信信号のうち、決定したサブフレームの信号を分離して、分離した信号を復調部１０９に出力する。例えば、信号分離部１０８は、short formatとなるサブフレームでは、SC-FDMAシンボルを削減した信号を復調部１０９へ出力する。
【００５０】
復調部１０９は、受信部１０８から受け取った信号に対して復調処理を施し、得られた復調信号を誤り訂正復号部１１０に出力する。
【００５１】
誤り訂正復号部１１０は、復調部１０９から受け取った復調信号を復号し、受信データ信号（つまり、上り回線データ）を得る。
【００５２】
［移動局２００の構成］
図５は、本実施の形態に係る移動局２００の構成を示すブロック図である。
【００５３】
図５において、移動局２００は、受信部２０１、信号分離部２０２、復調部２０３、誤り訂正復号部２０４、eNB割当情報受信部２０５、TA情報受信部２０６、誤り訂正符号化部２０７、変調部２０８、信号割当部２０９、及び、送信部２１０を有する。
【００５４】
受信部２０１は、eNB割当情報受信部２０５から受け取るeNB割当情報（各基地局に割り当てられたDL/Sp/ULセット）に従い、基地局１００又は基地局３００からサブフレーム毎に送信された信号を、アンテナを介して受信する。そして、受信信号にダウンコンバート等の所定の受信処理を施して、受信処理された信号を信号分離部２０２に出力する。なお、受信信号には、下り回線データ、eNB割当情報、又は、TA情報等が含まれる。
【００５５】
信号分離部２０２は、eNB割当情報受信部２０５から受け取るeNB割当情報（DL/Sp/ULセット）に基づいて、受信部２０１から受け取る受信信号から、基地局１００及び基地局３００の各々から送信される信号をそれぞれ分離する。具体的には、信号分離部２０２は、eNB割当情報、及び、TA情報受信部２０６から受け取るTA情報に基づいて、受信信号から、基地局１００からの信号、及び、基地局３００からの信号を分離する。TA情報は、short formatとなるサブフレーム及び削減されるシンボル数を含む。そして、信号分離部２０２は、分離した信号を復調部２０３に出力する。例えば、信号分離部２０２は、short formatとなるサブフレームでは、OFDMAシンボルを削減した信号を復調部２０３へ出力する。
【００５６】
復調部２０３は、信号分離部２０２から受け取った信号を復調し、当該復調した信号を誤り訂正復号部２０４に出力する。
【００５７】
誤り訂正復号部２０４は、復調部２０３から受け取った復調信号を復号し、得られた受信データ信号を出力する。また、誤り訂正復号部２０４は、上位レイヤにおいて受信した、eNB割当情報をeNB割当情報受信部２０５に出力し、TA情報をTA情報受信部２０６に出力する。
【００５８】
eNB割当情報受信部２０５は、誤り訂正復号部２０４から受け取ったeNB割当情報に基づいて、基地局１００（MeNB）に割り当てられるDL/Sp/ULセット、及び、基地局３００（SeNB）に割り当てられるDL/Sp/ULセットを決定する。eNB割当情報受信部２０５は、決定したDL/Sp/ULセットを、受信部２０１、信号分離部２０２、信号割当部２０９及び送信部２１０へ出力する。
【００５９】
TA情報受信部２０６は、誤り訂正復号部２０４から基地局１００及び基地局３００の両方のTA情報を受信する。そして、両方のTA情報に基づいて、TA情報生成部１０２と同様にして、移動局２００が送受信できるサブフレームがshort formatとなるか否か、及び、short formatにおいて削減されるシンボル数を判断する。TA情報受信部２０６は、short formatとなるサブフレーム及び削減されるシンボル数を信号分離部２０２及び信号割当部２０９部へ出力する。
【００６０】
誤り訂正符号化部２０７は、送信データ信号（上り回線データ）を誤り訂正符号化し、符号化後の信号を変調部２０８に出力する。
【００６１】
変調部２０８は、誤り訂正符号化部２０７から受け取る信号を変調し、変調信号を信号割当部２０９に出力する。
【００６２】
信号割当部２０９は、eNB割当情報受信部２０５から受け取るeNB割当情報（各基地局に割り当てられたDL/Sp/ULセットを示す情報）に基づいて、基地局１００及び基地局３００の各々に送信する信号をそれぞれ割り当てる。具体的には、信号割当部２０９は、eNB割当情報に基づいて、基地局１００（MeNB）に送信する信号向けのサブフレーム、及び、基地局３００（SeNB）に送信する信号向けのサブフレームを決定する。また、信号割当部２０９は、TA情報受信部２０６から受け取る情報（short formatとなるサブフレーム及び削減されるシンボル数）に基づいて、信号割当時にshort formatを使用するか否かを決定する。そして、信号割当部２０９は、決定されたサブフレームに、変調部２０８から受け取った変調信号（データ信号）を予め設定された下り回線リソースに割り当てて、送信部２１０へ出力する。
【００６３】
送信部２１０は、eNB割当情報受信部２０５からeNB割当情報（DL/Sp/ULセット）を受け取る。そして、eNB割当情報に従い、信号割当部２０９から受け取った送信信号に対して、アップコンバート等の所定の送信処理を施し、アンテナを介して基地局１００又は基地局３００へ送信する。
【００６４】
［基地局１００，３００及び移動局２００の動作］
以上の構成を有する基地局１００，３００及び移動局２００の動作の詳細について説明する。
【００６５】
［DL/Sp/ULセットの定義］
本実施の形態では、各UL-DL configurationにおいて、ＤＬサブフレーム又はスペシャルサブフレームと、ＵＬサブフレームとの組み合わせがDL/Sp/ULセットとして定義される。DL/Sp/ULセットは、各UL-DL Configurationにおいて、UL grant-PUSCHタイミング（第１の対応づけ）、及び、DL assignment(PDSCH)-HARQ ACKタイミング（第２の対応づけ）に従って定義される。
【００６６】
具体的には、各DL/Sp/ULセットは、UL grant-PUSCHタイミング及びDL assignment(PDSCH)-HARQ ACKタイミングによって関連付けられた複数のサブフレームで構成される。この複数のサブフレームは、ＤＬサブフレーム及びＵＬサブフレームを含む。さらにスペシャルサブフレームを含む場合がある。ここで、各UL-DL Configurationには、UL grant-PUSCHタイミングによって、UL grantが送信されるＤＬサブフレーム又はスペシャルサブフレームと、UL grantによって割り当てられたPUSCHが送信されるＵＬとが関連付けられている。また、各UL-DL Configurationには、DL assignment(PDSCH)-HARQ ACKタイミングによって、DL assignment（PDSCH）が送信されるＤＬサブフレーム又はスペシャルサブフレームと、PDSCHに対するACK/NACKが送信されるＵＬサブフレームとが関連付けられている。
【００６７】
つまり、PUSCHの割当を示すUL grantが通知されるＤＬサブフレーム又はスペシャルサブフレームと、当該UL grantによって割り当てられたPUSCHが送信されるＵＬサブフレームとが、同じDL/Sp/ULセットに含まれる。また、DL assignmentが通知されるＤＬサブフレーム又はスペシャルサブフレームと、当該DL assignmentによって割り当てられたPDSCHに対するACK/NACKが送信されるＵＬサブフレームとが、同じDL/Sp/ULセットに含まれる。
【００６８】
以下、各UL-DL Configuration（Config#0〜Config#6）において定義されるDL/Sp/ULセットについて図６〜図１２を用いて具体的に説明する。
【００６９】
なお、以下の説明において、１フレームあたりのDL/Sp/ULセットの数は、各DL/Sp/ULセット内に含まれるサブフレームのうちの先頭サブフレームが１フレーム内に含まれるDL/Sp/ULセットの合計数である。先頭フレームは、ＤＬサブフレーム又はスペシャルサブフレームである。。また、一つのDL/Sp/ULセットに含まれるＤＬサブフレーム又スペシャルサブフレームと、ＵＬサブフレームとは、異なるフレームにまたがってもよい。
【００７０】
図６〜図１２は、フレーム#0及び#1を示すが、フレーム#0の構成パターン（UL-DL Configuration）に着目して説明する。
【００７１】
＜Config#0（図６）＞
図６は、Config#0に含まれるDL/Sp/ULセットを示す。
【００７２】
図６に示すように、ＤＬサブフレーム#0は、UL grant-PUSCHタイミング及びDL assignment(PDSCH)-HARQ ACKタイミングによって、ＵＬサブフレーム#4と関連付けられている。一方、これらのサブフレーム#0，#4には、上記関連付け以外に他のサブフレームとの関連付けは存在しない。よって、図６に示すように、DL/Sp/ULセットの１つであるSet 1はサブフレーム#0，#4で構成される。
【００７３】
同様にして、図６に示すように、スペシャルサブフレーム#1は、UL grant-PUSCHタイミングによって、ＵＬサブフレーム#7，#8と関連付けられている。さらに、スペシャルサブフレーム#1は、DL assignment(PDSCH)-HARQ ACKタイミングによってＵＬサブフレーム#7と関連付けられている。一方、これらのサブフレーム#1，#7，#8には、上記関連付け以外に他のサブフレームとの関連付けは存在しない。よって、図６に示すように、DL/Sp/ULセットの１つであるSet 2はサブフレーム#1，#7，#8で構成される。
【００７４】
他のDL/Sp/ULセットについても同様である。すなわち、図６に示すように、Set 3はサブフレーム#5，#9で構成され、Set 4はサブフレーム#6、及び、後続するフレーム内のサブフレーム#12，#13で構成される。
【００７５】
図６に示すように、各DL/Sp/ULセット内に含まれるサブフレームのうちの先頭サブフレームは、フレーム#0内に４個存在する。よって、Config#0において１フレーム内に含まれるDL/Sp/ULセット数は４個である。なお、Config#0から#6のいずれにおいても、先頭フレームは、ＤＬサブフレームまたはスペシャルサブフレームである。
【００７６】
＜Config#1（図７）＞
図７は、Config#1に含まれるDL/Sp/ULセットを示す。
【００７７】
図７に示すように、ＤＬサブフレーム#0は、DL assignment(PDSCH)-HARQ ACKタイミングによって、ＵＬサブフレーム#7と関連付けられている。また、ＵＬサブフレーム#7は、UL grant-PUSCHタイミング及びDL assignment(PDSCH)-HARQ ACKタイミングによって、スペシャルサブフレーム#2と関連付けられている。一方、これらのサブフレーム#0，#1，#7には、上記関連付け以外に他のサブフレームとの関連付けは存在しない。よって、図７に示すように、DL/Sp/ULセットの１つであるSet 1はサブフレーム#0，#1，#7で構成される。
【００７８】
同様にして、図７に示すように、ＤＬサブフレーム#4は、UL grant-PUSCHタイミング及びDL assignment(PDSCH)-HARQ ACKタイミングによって、ＵＬサブフレーム#8と関連付けられている。一方、これらのサブフレーム#4，#8には、上記関連付け以外に他のサブフレームとの関連付けは存在しない。よって、図７に示すように、DL/Sp/ULセットの１つであるSet 2はサブフレーム#4，#8で構成される。
【００７９】
他のDL/Sp/ULセットについても同様である。すなわち、図７に示すように、Set 3はサブフレーム#5，#6，及び、フレーム#1内のサブフレーム#12で構成され、Set 4は、サブフレーム#9、及び、フレーム#1内のサブフレーム#13で構成される。
【００８０】
図７に示すように、各DL/Sp/ULセット内に含まれるサブフレームのうちの先頭サブフレームは、フレーム#0内に４個存在する。よって、Config#1において１フレーム内に含まれるDL/Sp/ULセット数は４個である。
【００８１】
＜Config#2（図８）＞
図８は、Config#2に含まれるDL/Sp/ULセットを示す。
【００８２】
図８に示すように、フレーム#0内のＤＬサブフレーム#4は、DL assignment(PDSCH)-HARQ ACKタイミングによって、フレーム#1内のＵＬサブフレーム#12と関連付けられている。また、ＵＬサブフレーム#12は、DL assignment(PDSCH)-HARQ ACKタイミングによって、ＤＬサブフレーム#5，#8及びスペシャルサブフレーム#6ともそれぞれ関連付けられている。また、ＵＬサブフレーム#12は、UL grant-PUSCHタイミングによってもＤＬサブフレーム#8と関連付けられている。一方、これらのサブフレーム#4，#5，#6，#8，#12には、上記関連付け以外に他のサブフレームとの関連付けは存在しない。よって、図８に示すように、DL/Sp/ULセットの１つであるSet 1はサブフレーム#4，#5，#6，#8，#12で構成される。
【００８３】
他のDL/Sp/ULセットについても同様である。すなわち、図８に示すように、Set 2はサブフレーム#9，#10，#11，#13，#17で構成される。
【００８４】
図８に示すように、各DL/Sp/ULセット内に含まれるサブフレームのうちの先頭サブフレームは、フレーム#0内に２個存在する。よって、Config#2において１フレーム内に含まれるDL/Sp/ULセット数は２個である。
【００８５】
＜Config#3（図９）＞
図９は、Config#3に含まれるDL/Sp/ULセットを示す。
【００８６】
図９に示すように、フレーム#0内のスペシャルサブフレーム#1は、DL assignment(PDSCH)-HARQ ACKタイミングによって、フレーム#1内のＵＬサブフレーム#12と関連付けられている。また、ＵＬサブフレーム#12は、DL assignment(PDSCH)-HARQ ACKタイミングによって、ＤＬサブフレーム#5，#6ともそれぞれ関連付けられている。更に、ＵＬサブフレーム#12は、UL grant-PUSCHタイミングによってＤＬサブフレーム#8と関連付けられている。
【００８７】
また、ＤＬサブフレーム#8は、DL assignment(PDSCH)-HARQ ACKタイミングによって、ＵＬサブフレーム#13と関連付けられている。また、ＵＬサブフレーム#13は、DL assignment(PDSCH)-HARQ ACKタイミングによってＤＬサブフレーム#7と関連付けられ、UL grant-PUSCHタイミングによってＤＬサブフレーム#9と関連付けられている。
【００８８】
更に、ＤＬサブフレーム#9は、DL assignment(PDSCH)-HARQ ACKタイミングによって、ＵＬサブフレーム#14と関連付けられている。また、ＵＬサブフレーム#14は、UL grant-PUSCHタイミング及びDL assignment(PDSCH)-HARQ ACKタイミングによって、ＤＬサブフレーム#10と関連付けられている。
【００８９】
このように、Config#3では、サブフレーム#1，#5〜#10，#12〜#14の中で各サブフレームが互いに関連付けられている。一方、サブフレーム#1，#5〜#10，#12〜#14には、上記関連付け以外に他のサブフレームとの関連付けは存在しない。よって、図９に示すように、DL/Sp/ULセットであるSet 1はサブフレーム#1，#5〜#10，#12〜#14で構成される。
【００９０】
図９に示すように、各DL/Sp/ULセット内に含まれるサブフレームのうちの先頭サブフレームは、フレーム#0内に１個のみ存在する。よって、Config#3において１フレーム内に含まれるDL/Sp/ULセット数は１個である。
【００９１】
＜Config#4（図１０）＞
図１０は、Config#4に含まれるDL/Sp/ULセットを示す。
【００９２】
図１０に示すように、Congig#4では、Config#3と同様にして、サブフレーム#0，#1，#4〜#9，#12，#13の各々が、UL grant-PUSCHタイミング及びDL assignment(PDSCH)-HARQ ACKタイミングによって関連付けられている。一方、サブフレーム#0，#1，#4〜#9，#12，#13には、上記関連付け以外に他のサブフレームとの関連付けは存在しない。よって、図１０に示すように、DL/Sp/ULセットであるSet 1はサブフレーム#0，#1，#4〜#9，#12，#13で構成される。
【００９３】
図１０に示すように、各DL/Sp/ULセット内の先頭サブフレームであるＤＬサブフレーム又はスペシャルサブフレームは、フレーム#0内に１個存在する。よって、Config#4において１フレーム内に含まれるDL/Sp/ULセット数は１個である。
【００９４】
＜Config#5（図１１）＞
図１１は、Config#5に含まれるDL/Sp/ULセットを示す。
【００９５】
図１１に示すように、Config#5では、Config#3と同様にして、サブフレーム#9〜#11，#13〜#18，#22の各々が、UL grant-PUSCHタイミング及びDL assignment(PDSCH)-HARQ ACKタイミングによって、関連付けられている。一方、サブフレーム#9〜#11，#13〜#18，#22には、上記関連付け以外に他のサブフレームとの関連付けは存在しない。よって、図１１に示すように、DL/Sp/ULセットであるSet 1はサブフレーム#9〜#11，#13〜#18，#22で構成される。
【００９６】
図１１に示すように、各DL/Sp/ULセット内に含まれるサブフレームのうちの先頭サブフレームは、フレーム#0内に１個のみ存在する。よって、Config#5において１フレーム内に含まれるDL/Sp/ULセット数は１個である。
【００９７】
＜Config#6（図１２）＞
図１２は、Config#6に含まれるDL/Sp/ULセットを示す。
【００９８】
図１２に示すように、ＤＬサブフレーム#0は、UL grant-PUSCHタイミング及びDL assignment(PDSCH)-HARQ ACKタイミングによって、ＵＬサブフレーム#7と関連付けられている。一方、これらのサブフレーム#0，#7には、上記関連付け以外に他のサブフレームとの関連付けは存在しない。よって、図１２に示すように、DL/Sp/ULセットの１つであるSet 1はサブフレーム#0，#7で構成される。
【００９９】
同様にして、図１２に示すように、スペシャルサブフレーム#1は、UL grant-PUSCHタイミング及びDL assignment(PDSCH)-HARQ ACKタイミングによって、ＵＬサブフレーム#8と関連付けられている。一方、これらのサブフレーム#1，#8には、上記関連付け以外に他のサブフレームとの関連付けは存在しない。よって、図１２に示すように、DL/Sp/ULセットの１つであるSet 2はサブフレーム#1，#8で構成される。
【０１００】
他のDL/Sp/ULセットについても同様である。すなわち、図１２に示すように、Set 3はサブフレーム#5，#12で構成され、Set 4はサブフレーム#6、#13で構成され、Set 5はサブフレーム#9，#14で構成される。
【０１０１】
図１２に示すように、各DL/Sp/ULセット内に含まれるサブフレームのうちの先頭サブフレームは、フレーム#0内に５個存在する。よって、Config#6において１フレーム内に含まれるDL/Sp/ULセット数は５個である。
【０１０２】
以上、各UL-DL Configuration（Config#0〜Config#6）において定義されるDL/Sp/ULセットについて説明した。
【０１０３】
なお、上述したDL/Sp/ULセットの定義において、PUSCH-PHICH(ACK)タイミング（図１において図示せず）は考慮されていない。UL-DL Configurationでは、複数のPUSCHに対するPHICHが送信されるＤＬサブフレームは異なる場合がある。その場合、DL/Sp/ULセットの定義においてPUSCH-PHICHタイミングを考慮すると、同一DL/Sp/ULセット内に含まれるサブフレーム数が多くなり、信号割当の柔軟性が低下してしまう。そこで、本実施の形態では、PUSCHに対するPHICHが送信されるＤＬサブフレームが、PUSCHが送信されるＵＬサブフレームと異なる基地局に割り当てられている場合、移動局２００は、PHICHを受信しない。移動局２００は、PHICHを受信しない場合、ACKを受信したと想定する。このようにすると、UL grantを送信せずにNACKを用いて再送させるnon adaptive HARQの運用はできなくなるものの、UL grantで再送を指示するadaptive HARQの運用は可能となる。
【０１０４】
［動作例］
基地局１００のeNB割当情報生成部１０２は、基地局１００（MeNB）及び基地局３００（SeNB）に対して、移動局２００に設定されたUL-DL Configurationに含まれるサブフレームを、上述したDL/Sp/ULセット毎にそれぞれ割り当てる。
【０１０５】
図１３は、一例として、移動局２００に対してConfig#1が設定された場合の動作例を示す。Config#1では、図７に示すように、１フレームあたりのDL/Sp/ULセット数は４個である。そこで、eNB割当情報生成部１０２は、４フレーム（40msec）サイクルでMeNB及びSeNBにリソースを割り当てる場合、１６セット（＝４セット×４フレーム）の割当を決定する。
【０１０６】
例えば、図１３において、サブフレーム番号０〜３９の下の行に示す‘Ｍ’はDL/Sp/ULセットが基地局１００（MeNB）に割り当てられることを示し、‘Ｓ’はDL/Sp/ULセットが基地局３００（SeNB）に割り当てられることを示す。図１３に示すように、サブフレーム#0〜#39は、Config#1におけるDL/Sp/ULセット（Set 1〜Set 4）毎にMeNB及びSeNBに対してそれぞれ割り当てられる。
【０１０７】
図１４は、他の例として、移動局２００に対してConfig#2が設定された場合の動作例を示す。Config#2では、図８に示すように、１フレームあたりのDL/Sp/ULセット数は２個である。そこで、eNB割当情報生成部１０２は、４フレーム（40msec）サイクルでMeNB及びSeNBを割り当てる場合、８セット（＝２セット×４フレーム）の割当を決定する。
【０１０８】
例えば、図１４に示すように、サブフレーム#0〜#39は、Config#2におけるDL/Sp/ULセット（Set 1，Set 2）毎にMeNB及びSeNBに対してそれぞれ割り当てられる。
【０１０９】
他のUL-DL Configuration（Config#0，#3〜#6）についても同様にして、サブフレームがDL/Sp/ULセット毎にMeNB及びSeNBに対してそれぞれ割り当てられる。
【０１１０】
以上のように、本実施の形態では、各UL-DL configurationにおいて、ＤＬサブフレーム又はスペシャルサブフレームと、ＵＬサブフレームとの組み合わせをDL/Sp/ULセットとして定義する。具体的には、DL/Sp/ULセットは、UL grant-PUSCHタイミング及びDL assignment(PDSCH)-HARQ ACKタイミングによって関連付けられたサブフレームで構成される。そして、UL-DL Configurationに含まれるサブフレームは、DL/Sp/ULセット毎に複数の基地局（MeNB及びSeNB）の各々に対して割り当てられる。
【０１１１】
特に、Config#0（図６），Config#1（図７），Config#6（図１２）では、連続するＵＬサブフレームが異なるDL/Sp/ULセットに含まれている。したがって、本開示のようにDL/Sp/ULセット単位でサブフレームを割り当てれば、端末は、連続するＵＬサブフレームを、複数の基地局（eNB）に割り当てることができる。具体的には、Config#0では、ＵＬサブフレーム#3（図６ではサブフレーム#13）を含むSet 4と、ＵＬサブフレーム#4を含むSet 1とをそれぞれ異なる基地局に割り当てることができ、ＵＬサブフレーム#8を含むSet 2と、ＵＬサブフレーム#9を含むSet 3とをそれぞれ異なる基地局に割り当てることができる。
【０１１２】
このように、従来技術では、連続するＵＬサブフレームを同一の基地局にしか割り当てることができなかったのに対して、本実施の形態によれば、連続するＵＬサブフレームを複数の基地局に割り当てることができる。つまり、本実施の形態によれば、従来技術と比較して、リソース割当の柔軟性が向上する。
【０１１３】
また、DL/Sp/ULセット毎にMeNB及びSeNBに対してサブフレームが割り当てられることにより、移動局２００と通信を行う基地局が基地局１００と基地局３００とで切り替えられた場合でも、以下の効果を有する。UL grant-PUSCHタイミング及びDL assignment(PDSCH)-HARQ ACKタイミングによって関連付けられたＤＬサブフレーム及びスペシャルサブフレームとＵＬサブフレームとは同一基地局に割り当てられる。換言すると、基地局１００と基地局３００とが切り替えられた場合に、UL grant-PUSCHタイミング及びDL assignment(PDSCH)-HARQ ACKタイミングによって関連付けられた複数のサブフレームが異なる基地局に割り当てられて、当該サブフレームでの送受信ができなくなることを回避できる。
【０１１４】
これにより、UL grant-PUSCHタイミング及びDL assignment(PDSCH)-HARQ ACKタイミングにおける、ＤＬサブフレーム又スペシャルサブフレームと、ＵＬサブフレームとの関連付けを維持しつつ、リソース割当の柔軟性を向上させることができる。
【０１１５】
よって、本実施の形態によれば、Single Rx/Tx capabilityを有する移動局２００がDual connectivityをサポートする場合に、リソース割当の柔軟性が向上させることができる。
【０１１６】
なお、DL/Sp/ULセットの割当指示は、RRC（Radio Resource Control）等の上位レイヤのシグナリングを用いて、基地局１００（MeNB）から移動局２００へ通知してもよい。上位レイヤのシグナリングを使用する場合、サブフレームの割当を頻繁には更新できないので、移動局２００は、通知されたDL/Sp/ULセットの割当を繰り返し（cyclicに）使用する。例えば、図１３又は図１４に示す動作例のように、４フレーム単位での通知の場合、４フレームに含まれるDL/Sp/ULセットの個数と同じビット数が通知に必要となる。例えば、サブフレームの割当指示に必要となるビット数は、図１３に示すConfig#1の場合（１６セット）には16ビットとなり、Config#2の場合（８セット）には8ビットとなる。この場合、各ビットにおいて、MeNBを“0”とし、SeNBを“１”として（逆でもよい）、各基地局に割り当てられるサブフレームが指示される。
【０１１７】
例えば、図１３に示す動作例の場合、DL/Sp/ULセットの割当指示（つまり、eNB割当情報）を表す16ビットは「1111011001101111」となる。図１４に示す動作例の場合、DL/Sp/ULセットの割当指示（eNB割当情報）を表す8ビットは「11010111」となる。
【０１１８】
また、割当指示に必要なビット数を削減するために、複数のDL/Sp/ULセットを１つのセットとしてまとめて扱ってもよい。
【０１１９】
［guard periodの設定］
次に、移動局２００と通信を行う基地局が、基地局１００（MeNB）と基地局３００（SeNB）との間で切り替わる場合に必要となるguard periodの詳細について説明する。
【０１２０】
基地局１００（信号割当部１０５、信号分離部１０８）は、eNB割当情報に示されるDL/Sp/ULセットの割当に基づいて、どのサブフレームにおいて基地局が切り替わるかを特定する。基地局３００（信号割当部３０５、信号分離部３０８）も同様にどのサブフレームにおいて基地局が切り替わるかを特定する。移動局２００（信号分離部２０２、信号割当部２０９）も、同様にどのサブフレームにおいて基地局が切り替わるかを特定する。また、基地局１００，３００及び移動局２００は、基地局の切替時のサブフレーム、guard period及び各基地局のTAに基づいて、short formatが必要か否かを判断する。また、基地局１００，３００及び移動局２００は、short formatが必要な場合、削減するシンボル数を決定する。
【０１２１】
以下、移動局２００との通信を行う基地局の切替のタイミングにおいて、short formatが必要か否かの判断方法、及び、short formatが必要な場合の削減されるシンボル数の決定方法について説明する。
【０１２２】
以下の説明では、基地局１００（MeNB）と移動局２００との間のTA（以下、MeNBのTAと呼ぶ）が、基地局３００（SeNB）と移動局２００との間のTA（以下、SeNBのTAと呼ぶ）よりも長い場合を想定する。
【０１２３】
また、以下では、次の（１）から（５）の場合について、順に説明する。（１）ＵＬサブフレームからＤＬサブフレームへ切り替わるタイミングで、端末と通信する基地局を切り替える（ＵＬからＤＬ）。（２）ＵＬサブフレームからＵＬサブフレームへ切り替わるタイミングで、基地局を切り替処理える（ＵＬからＵＬ）。（３）ＤＬサブフレームからＤＬサブフレームへ切り替わるタイミングで、基地局を切り替える（ＤＬからＤＬ）。（４）ＤＬサブフレームからスペシャルサブフレームへ切り替わるタイミングで、基地局を切り替える（ＤＬからＳＰ）。（５）スペシャルサブフレームからＵＬサブフレームへ切り替わるタイミングで、基地局を切り替える（ＳＰからＵＬ）。
【０１２４】
＜（１）ＵＬからＤＬ（図１５）＞
図１５ＡはMeNBからSeNBへ切り替える場合を示し、図１５ＢはSeNBからMeNBへ切り替える場合を示す。
【０１２５】
ＵＬサブフレームからＤＬサブフレームへの切替のタイミングで、移動局２００が通信する基地局を切り替える場合、移動局２００が送受信しない期間を以下のように設定する。図１５に示すように、MeNBのTA（Timing Advance）とSeNBのTAとの合計値の２分の１の値（すなわち、MeNB TAの２分の１の値とSeNB TAの２分の１の値との合計）を、移動局２００が送受信しない期間に設定する。
【０１２６】
すなわち、移動局２００が送受信をしない期間内にguard periodが収まる場合には、移動局２００において当該期間内に基地局の切替処理を完了させることができるので、short formatは不要となる。よって、short formatの要否は以下の式に従って判断される。
【０１２７】
【数１】
2015045234.tif 000003
【０１２８】
つまり、guard period（基地局の切替処理に要する時間）がMeNBのTAとSeNBのTAとの合計値の１／２の値以下の場合、基地局を切り替える直前のサブフレーム及び切替え直後のサブフレーム内のシンボルは削減されない。一方、guard periodがMeNB TAとSeNB TAとの合計値の１／２の値よりも大きい場合、基地局を切り替える直前又は直後のサブフレーム内のシンボルが削減される（つまり、short formatが設定される）。
【０１２９】
また、short formatが必要な場合において、short formatのサブフレームで削減されるシンボル数は、以下の式に従って求まる。
【０１３０】
【数２】
2015045234.tif 000004
【０１３１】
上式において、Ceil{} は天井関数を示す。すなわち、guard periodのうち、移動局２００が送受信しない期間を超える期間分だけシンボルが削減される。
【０１３２】
ＵＬサブフレームからＤＬサブフレームへの切替のタイミングで基地局を切り替える時には、以下のようにOFDMシンボルが削減される。UL信号（ＵＬサブフレーム）の最後に位置するSC-FDMAシンボル、又は、DL信号（ＤＬサブフレーム）の先頭に位置するOFDMシンボルが削減される。
【０１３３】
＜（２）ＵＬからＵＬ（図１６）＞
図１６Ａは、MeNBからSeNBへ切り替える場合を示し、図１６ＢはSeNBからMeNBへ切り替える場合を示す。
【０１３４】
図１６Ａに示すように、MeNBのＵＬサブフレームからSeNBのＵＬサブフレームへの切替のタイミングで、移動局２００が通信する基地局を切り替える場合、移動局２００が送受信しない期間を以下のように設定する。MeNBのTAとSeNBのTAとの差の２分の１の値（すなわち、MeNB TAの２分の１の値とSeNB TAの２分の１の値との差）を、移動局２００が送受信をしない期間に設定する。MeNBのTAはSeNBのTAよりも長いため、上記のような設定が可能となる。
【０１３５】
すなわち、移動局２００が送受信をしない期間内にguard periodが収まる場合には、移動局２００において当該期間内に基地局の切替処理を完了させることができるので、short formatは不要となる。よって、short formatの要否は以下の式に従って判断される。
【０１３６】
【数３】
2015045234.tif 000005
【０１３７】
つまり、guard periodがMeNB TAとSeNB TAとの差の１／２の値以下の場合、基地局切替時のサブフレーム内のシンボルは削減されない。一方、guard periodがMeNB TAとSeNB TAとの差の１／２の値よりも大きい場合、基地局切替時のサブフレーム内のシンボルは削減される。
【０１３８】
また、short formatが必要な場合において、short formatのサブフレームで削減されるシンボル数は、以下の式に従って求まる。
【０１３９】
削減するシンボル数=Ceil {(guard period- 1/2 (MeNB TA - SeNB TA)) / シンボル長}
一方、図１６Ｂに示すように、SeNBのＵＬサブフレームからMeNBのＵＬサブフレームへの切替のタイミングで、基地局を切り替える場合、移動局２００が送受信をしない期間は存在しない。これは、MeNBのTAはSeNBのTAよりも長いためである。よって、short formatは常に必要となる。short formatのサブフレームで削減されるシンボル数は、以下の式に従って求まる。
【０１４０】
【数４】
2015045234.tif 000006
【０１４１】
ＵＬサブフレームからＵＬサブフレームへの切替のタイミングで基地局を切り替える時には、以下のようにOFDMシンボルが削減される。切替前のUL信号（ＵＬサブフレーム）の最後に位置するSC-FDMAシンボル、又は、切替後のUL信号（ＵＬサブフレーム）の先頭に位置するSC-FDMAシンボルが削減される。
【０１４２】
＜（３）ＤＬからＤＬ（図１７）＞
図１７Ａは、MeNBからSeNBへ切り替える場合を示し、図１７ＢはSeNBからMeNBへ切り替える場合を示す。
【０１４３】
図１７Ａに示すように、MeNB向けのＤＬサブフレームからSeNB向けのＤＬサブフレームへの切替のタイミングで、移動局２００と通信する基地局を切り替える場合、移動局２００が送受信をしない期間は存在しない。これは、MeNBのTAはSeNBのTAよりも長いためである。よって、short formatは常に必要となる。short formatのサブフレームで削減されるシンボル数は、以下の式に従って求まる。
【０１４４】
【数５】
2015045234.tif 000007
【０１４５】
一方、図１７Ｂに示すように、SeNBのＤＬサブフレームからMeNBのＤＬサブフレームへの切替のタイミングで基地局を切り替える場合、移動局２００が送受信しない期間を以下のように設定する。MeNB TAとSeNB TAとの差の２分の１の値（すなわち、MeNB TAの２分の１の値とSeNB TAの２分の１の値との差）を、移動局２００が送受信をしない期間に設定する。MeNBのTAはSeNBのTAよりも長いため、上記のような設定が可能となる。
【０１４６】
すなわち、移動局２００が送受信をしない期間内にguard periodが収まる場合には、移動局２００において当該期間内に基地局の切替処理を完了させることができるので、short formatは不要となる。よって、short formatの要否は以下の式に従って判断される。
【０１４７】
【数６】
2015045234.tif 000008
【０１４８】
つまり、guard periodがMeNB TAとSeNB TAとの差の１／２の値以下の場合、基地局切替時のサブフレーム内のシンボルは削減されない。一方、guard periodがMeNB TAとSeNB TAとの差の１／２の値よりも大きい場合、基地局切替時のサブフレーム内のシンボルは削減される。
【０１４９】
また、short formatが必要な場合において、short formatのサブフレームで削減されるシンボル数は、以下の式に従って求まる。
【０１５０】
【数７】
2015045234.tif 000009
【０１５１】
ＤＬサブフレームからＤＬサブフレームへの切替のタイミングでの基地局の切替時には、切替前のDL信号（ＤＬサブフレーム又はスペシャルサブフレーム）の後方に位置するOFDMシンボル、又は、切替後のDL信号（ＤＬサブフレーム又はスペシャルサブフレーム）の先頭に位置するOFDMシンボルが削減される。
【０１５２】
＜（４）ＤＬからＳｐ（図１８）＞
図１８ＡはMeNBからSeNBへ切り替える場合を示し、図１８ＢはSeNBからMeNBへ切り替える場合を示す。
【０１５３】
ＤＬサブフレームからスペシャルサブフレームへの切替のタイミングで、移動局２００が通信する基地局を切り替える場合、上述した（３）と同様の動作を適用することもできる。すなわち、ＤＬサブフレームからＤＬサブフレームへの切替のタイミングでの切替と同様の動作（図１７参照）を適用することもできる。ただし、ここでは、図１８に示すように、guard periodを確保する。図１８では、スペシャルサブフレームでは、UpPTS（Uplink Pilot Time Slot）（アップリンク領域）のみを使用し、他の領域（ダウンリンク領域を含む）を使用しないことでguard periodを確保する。この場合、UpPTSを送信できる場合、及び、UpPTSを送信できない場合は、それぞれ以下の式に従って判断される。
【０１５４】
【数８】
2015045234.tif 000010
【０１５５】
上式において、UpPTS lengthは、UpPTSの期間の長さを示す。
【０１５６】
＜（５）ＳｐからＵＬ（図１９）＞
図１９ＡはMeNBからSeNBへ切り替える場合を示し、図１９ＢはSeNBからMeNBへ切り替える場合を示す。
【０１５７】
スペシャルサブフレームからＵＬサブフレームへの切替のタイミングで、移動局２００が通信する基地局を切り替える場合、上述した（２）と同様の動作を適用することもできる。すなわち、ＵＬサブフレームからＵＬサブフレームへの切替のタイミングでの切替と同様の動作を適用することもできる。ただし、ここでは、図１９に示すように、guard periodを確保する。図１９では、スペシャルサブフレームでは、DwPTS（Downlink Pilot Time Slot）（ダウンリンク領域）のみを使用し、他の領域（アップリンク領域を含む）を使用しないことでguard periodを確保する。この場合、DwPTSを送信できる場合、及び、DwPTSを送信できない場合は、それぞれ以下の式に従って判断される。
【０１５８】
【数９】
2015045234.tif 000011
【０１５９】
上式において、DwPTS lengthは、DwPTSの期間の長さを示す。
【０１６０】
以上、移動局２００と通信を行う基地局の切替のタイミングにおいてshort formatが必要か否かの判断方法、及び、short formatが必要な場合の削減されるシンボル数の決定方法について説明した。
【０１６１】
なお、guard periodとして、各シンボルに含まれるCP（Cyclic Prefix）を使用してもよい。この場合、移動局２００が送受信しない期間＋CP長（CP lenghth）をguard periodに割り当てることが可能となる。つまり、guard periodが（移動局２００が送受信しない期間＋CP長）内に収まる場合にはshort formatが不要となる。また、short formatよって、CPを使用しない場合と比較して、short formatにおけるシンボル数を更に削減することができる。
【０１６２】
このように、基地局切替時のguard periodを確保するために、移動局２００が送信するSC-FDMAシンボル数、又は、移動局２００が受信するOFDMシンボル数を削減したshort formatが使用される。ただし、本実施の形態では、short formatの要否及びshort formatにおいて削減されるシンボル数は、MeNB TA、SeNB TA、及び、基地局切替時のサブフレームに基づいて決定される。具体的には、基地局１００，３００及び移動局２００は、基地局切替時のサブフレームにおけるMeNB TAとSeNB TAとの関係に基づいて求まる移動局２００が送受信しない期間と、guard periodとを比較することにより、short formatの要否及び削減されるシンボル数を決定する。
【０１６３】
これにより、本実施の形態によれば、TA及び基地局切替時のサブフレームに基づいてshort formatの要否及び削減されるシンボル数が決定されることにより、short formatにおいて削減するシンボル数を最小にすることができる。
【０１６４】
特に、非特許文献２には、ＤＬサブフレームからＤＬサブフレームへの切替のタイミングで、移動局と通信する基地局が切り替えられることも開示されている。しかし、この基地局の切替時におけるguard periodをどのように設定するかまでは開示されていない。非特許文献２によれば、例えば、図１７に示すように、ＤＬサブフレームからＤＬサブフレームへの切替タイミングでは、各基地局のTAの大小関係によって、移動局２００が送受信しない期間の有無が変わってしまう。これに対して、本実施の形態では、ＤＬサブフレームからＤＬサブフレームへの切替時に、移動局と通信する基地局が切り替えられる場合（図１７参照）、short formatの要否が以下のように判断される。MeNB TAとSeNB TAとの差の２分の１の値が、guard period以下の場合、short formatが必要と判断され、上記値がguard periodより大きい場合、short formatが不要と判断される。すなわち、本実施の形態では、ＤＬサブフレームからＤＬサブフレームへの切替時に基地局が切り替えられる場合でも、short formatにおいて削減するシンボル数を最小に抑えて、guard periodを適切に設定することができる。
【０１６５】
（実施の形態２）
本実施の形態では、MeNB及びSeNBに対してサブフレームがフレーム単位で割り当てられる点、及び、short formatを使用しない点が実施の形態１と異なる。
【０１６６】
［基地局１００，３００の構成（図４）］
本実施の形態では、実施の形態１と同様、基地局３００では、eNB割当情報受信部３０１以外の構成部は、基地局１００の構成部と同一である。そこで、基地局３００の構成部のうち、基地局１００と異なる構成部についてのみ説明し、基地局１００と同一構成部の動作について説明を省略する。
【０１６７】
本実施の形態に係る基地局１００のeNB割当情報生成部１０１は、MeNB（基地局１００）に割り当てるフレーム、及び、SeNB（基地局３００）に割り当てるフレームを設定し、設定されたフレームを示すeNB割当情報を生成する。すなわち、eNB割当情報において必要となるビット数は、１フレームあたり１ビットとなる。
【０１６８】
eNB割当情報生成部１０１は、生成したeNB割当情報を上位レイヤのシグナリングとして、誤り訂正符号化部１０３へ出力する。また、eNB割当情報生成部１０１は、基地局１００が信号を送受信するフレームを指示するために、eNB割当情報を信号割当部１０５及び信号分離部１０８へ出力する。また、eNB割当情報生成部１０１は、eNB割当情報を、基地局３００（SeNB）のeNB割当情報受信部３０１に通知する。基地局１００から基地局３００へのeNB割当情報の通知は、例えば、X2インターフェース、Xnインターフェース又はS1インターフェース等の基地局間のインターフェースを介して行われる。
【０１６９】
基地局３００のeNB割当情報受信部３０１は、基地局１００のeNB割当情報生成部１０１が生成したeNB割当情報を受信する。eNB割当情報受信部３０１は、基地局３００が信号を送受信するフレームを指示するために、eNB割当情報を信号割当部３０５及び信号分離部３０８へ出力する。
【０１７０】
TA情報生成部１０２は、実施の形態１と同様、基地局１００と移動局２００との間の伝搬遅延に応じて、TAを設定し、生成したTAを含むTA情報を生成する。また、TA情報生成部１０２は、基地局の切替時のサブフレームでのデータ割当が可能であるか否かを判断する。TA情報生成部１０２は、例えば、基地局１００（MeNB）と移動局２００との間のTA、基地局３００と移動局２００との間のTA、及び、基地局１００に割り当てられるサブフレームと基地局３００に割り当てられるサブフレームとの切替時のサブフレーム、に基づいて、サブフレームの割当可否を判断する。具体的には、本実施の形態では、short formatが使用されないので、TA情報生成部１０２は、基地局の切替時のサブフレームにおいて基地局の切替処理に要するguard periodを確保できる場合には当該サブフレームの割当が可能であると判断し、guard periodを確保できない場合には当該サブフレームの割当が不可であると判断する。TA情報生成部１０２は、サブフレームの割当が不可となるサブフレームの組み合わせを信号割当部１０５及び信号分離部１０８へ出力する。
【０１７１】
信号割当部１０５は、eNB割当情報生成部１０１（基地局３００ではeNB割当情報受信部３０１）から入力されるeNB割当情報、及び、TA情報生成部１０２から入力される情報（割当不可となるサブフレーム）に基づいて、信号割当時に使用可能なサブフレームを決定する。そして、信号割当部１０５は、使用可能なサブフレームにおいて、変調部１０４から受け取った変調信号（データ信号又は制御信号）を予め設定された下り回線リソースに割り当てる。
【０１７２】
信号分離部１０８は、以下の情報に基づいて、自局が使用可能なサブフレームを決定する。eNB割当情報生成部１０１（基地局３００ではeNB割当情報受信部３０１）から入力されるeNB割当情報、及び、TA情報生成部１０２から入力される情報（割当不可となるサブフレーム）である。そして、信号分離部１０８は、受信部１０７から受け取る受信信号のうち、決定したサブフレームの信号を分離して、分離した信号を復調部１０９に出力する。
【０１７３】
［移動局２００の構成（図５）］
本実施の形態に係る移動局２００の信号分離部２０２は、eNB割当情報受信部２０５から受け取るeNB割当情報、及び、TA情報受信部２０６から受け取る情報（割当不可となるサブフレーム）に基づいて、受信部２０１から受け取る受信信号から、受信するサブフレームを決定する。そして、信号分離部２０２は、決定したサブフレームにおける基地局１００からの受信信号、及び、基地局３００からの受信信号を分離し、分離した信号を復調部２０３に出力する。
【０１７４】
eNB割当情報受信部２０５は、誤り訂正復号部２０４から受け取ったeNB割当情報に基づいて、基地局１００（MeNB）に割り当てられるフレーム、及び、基地局３００（SeNB）に割り当てられるフレームを決定する。eNB割当情報受信部２０５は、決定したフレームの情報を、受信部２０１、信号分離部２０２、信号割当部２０９及び送信部２１０へ出力する。
【０１７５】
TA情報受信部２０６は、TA情報生成部１０２と同様にして、基地局１００及び基地局３００の双方から受信するTA情報に基づいて、基地局の切替時のサブフレームでのデータ割当が可能であるか否かを判断する。TA情報受信部２０６は、サブフレームの割当が不可となるサブフレームの組み合わせを信号分離部２０２及び信号割当部２０９部へ出力する。
【０１７６】
信号割当部２０９は、以下の情報に基づいて使用できないサブフレームを決定する。eNB割当情報受信部２０５から受け取るeNB割当情報（各基地局に割り当てられたフレーム）、及び、TA情報受信部２０６から受け取る情報（割当不可となるサブフレーム）である。そして、信号割当部２０９は、使用できるサブフレームにおいて、変調部２０８から受け取った変調信号（データ信号）を予め設定された下り回線リソースに割り当てて、送信部２１０へ出力する。
【０１７７】
［基地局１００，３００及び移動局２００の動作］
以上の構成を有する基地局１００，３００及び移動局２００の動作の詳細について説明する。
【０１７８】
［動作例１］
以下の説明では、基地局１００（MeNB）と基地局３００（SeNB）との間における移動局２００と通信する基地局の切替処理は１フレーム（10msec）単位で行われる。
【０１７９】
また、UL-DL Configurationの各々において、移動局２００と通信する基地局を切り替えるタイミング（切替タイミング）は、ＵＬサブフレームからＤＬサブフレームへの切替のタイミングとする。この理由の１つは、下記の通り、移動局２００が送受信しない期間を比較的長く確保できるためである。図１５で説明したように、ＵＬサブフレームからＤＬサブフレームへの切替では、移動局２００は、ＵＬサブフレームでは信号を早めに送信し、後続するＤＬでは信号を遅めに受信する。よって、他のサブフレームの切替（例えば、図１６〜図１９参照）と比較して、移動局２００が送受信しない期間を比較的長く確保できる。
【０１８０】
ただし、１フレーム内に基地局の切替タイミングの候補が複数有る場合、フレーム内でＤＬサブフレームの番号が最も小さいサブフレームのタイミングを、基地局の切替タイミングとする。つまり、UL-DL Configurationの各々において、基地局の切替処理のタイミングは、ＵＬサブフレームからＤＬサブフレームへの切替のタイミングのうち、サブフレーム番号が最も小さいＤＬサブフレームにおけるタイミングである。
【０１８１】
よって、UL-DL Configuration毎に基地局１００（MeNB）と基地局３００（SeNB）とを切り替えるタイミングは異なる。
【０１８２】
また、上述したように、動作例１では、short formatを使用しないので、guard periodが確保できない場合には、フレーム単位で送受信が停止される。
【０１８３】
また、UL grantが通知されるＤＬサブフレーム又はスペシャルサブフレームと、当該UL grantによって割り当てられるPUSCHが送信されるＵＬサブフレームとが基地局の切替前と切替後にまたがる場合、以下のように構成する。すなわち、PUSCH及びPDSCHを割り当てるサブフレームとしてＵＬサブフレーム又はＤＬサブフレームは使用されない。また、DL assignment(PDSCH)が通知されるＤＬサブフレームと、当該PDSCHに対するACK/NACKが送信されるＵＬサブフレームとが基地局の切替前のフレームと切替後のフレームにまたがる場合も、同様である。その結果、実施の形態１で説明したフレームに複数のDL/Sp/ULセットが定義されているConfig#0，#1，#2，#6（図６〜図８、図１２）では、以下のようになる。すなわち、DL/Sp/ULセット単位で移動局２００に割り当てられないサブフレームを、上記使用されないサブフレームとして選択する。上記使用されないサブフレームの詳細については後述する。
【０１８４】
以下、動作例１における各UL-DL Configuration（Config#0〜Config#6）での基地局１００（MeNB）と基地局３００（SeNB）との切替の動作について、図２０〜図２８を用いて具体的に説明する。
【０１８５】
なお、以下の説明では、「guard period <= 1/2 (MeNB TA + SeNB TA)」を満たしているものとする。つまり、ＵＬサブフレームからＤＬサブフレームになるタイミングで基地局を切り替える際に、移動局２００が送受信しない期間においてguard periodが確保される場合を想定する。
【０１８６】
＜Config#0（図２０）＞
図２０において、ＵＬサブフレームからＤＬサブフレームへ切り替わるタイミングは、以下の通りである。切替タイミングの一つは、ＵＬサブフレーム#(10n+9)（例えば、サブフレーム#9，#19，#29，#39）からＤＬサブフレーム#(10n)（例えば、サブフレーム#0，#10，#20，#30）に切り替わるタイミングである。別のタイミングは、ＵＬサブフレーム#(10n+4)（例えば、サブフレーム#4，#14，#24，#34）からＤＬサブフレーム#(10n+5)（例えば、サブフレーム#5，#15，#25，#35）に切り替わるタイミングである。ただし、nは０以上の整数（0,1,2,3,…）である。このうち、１フレーム内でＤＬサブフレームの番号が最も小さいＤＬサブフレーム#(10n)が基地局１００（MeNB）と基地局３００（SeNB）とを切り替えるタイミングとなる。
【０１８７】
よって、図２０に示すように、基地局１００（MeNB。‘Ｍ’で表す）と基地局３００（SeNB。‘Ｓ’で表す）とは、サブフレーム#(10n)において１フレーム単位で切り替えられる。
【０１８８】
また、図２０では、複数のDL/Sp/ULセットのうち、以下のDL/Sp/ULセットが基地局の切替前のフレームと切替後のフレームにまたがるため、使用されない。ここで、DL/Sp/UL セットとは、UL grant-PUSCHタイミング及びDL assignment(PDSCH)-HARQ ACKタイミングによって関連付けられた複数のサブフレームである。図２０において、基地局の切替前のフレームと切替後のフレームにまたがるDL/Sp/ULセットは、或るフレームのサブフレーム#(10n+6)、及び、次のフレームのサブフレーム#(10n+12)，#(10n+13)からなる。図２０では、サブフレーム#6，#12，#13と、サブフレーム#16，#22，#23である。これらのサブフレームは、移動局２００に対して使用されないサブフレーム（Non-use subframe）である。これらのサブフレームの組み合わせは、図６に示すDL/Sp/ULセットのうち、Set 4に相当する。
【０１８９】
つまり、動作例１では、図６に示すDL/Sp/ULセットのうち、Set 4は、移動局２００に割り当てられない。ただし、連続したフレームが同一基地局に割り当てられる場合（図２０では、サブフレーム#20〜#39）、当該フレーム間で基地局の切替は行われない。よって、移動局２００に対してSet 4（図２０では、サブフレーム#26，#32，#33、及び、サブフレーム#36，#42，#43）も割当可能となる。
【０１９０】
このように、動作例１では、ＵＬサブフレームからＤＬサブフレームへ切り替わるタイミングで、端末と通信する基地局が切り替えられる。これに対して、図２１は、例えば、ＤＬサブフレームからスペシャルサブフレームへ切り替わるタイミングで基地局を切り替える場合を示す。図２１では、UL grantが通知されるＤＬサブフレームと当該UL grantによって割り当てられるPUSCHが送信されるＵＬサブフレームとが、基地局の切替前のフレームと切替後のフレームにまたがるケースが多い。また、DL assignment(PDSCH)が通知されるＤＬサブフレームと当該PDSCHに対するACK/NACKが送信されるＵＬサブフレームが、基地局の切替前のフレームと切替後のフレームにまたがるケースが増えてしまう。このため、図２１では、動作例１（図２０）と比較して、使用できないサブフレームの数が増加する。換言すると、動作例１によれば、使用できないサブフレーム数の増加を抑えることができる。
【０１９１】
＜Config#1（図２２）＞
図２２において、ＵＬサブフレームからＤＬサブフレームへ切り替わるタイミングは、以下の通りである。切替タイミングの一つは、ＵＬサブフレーム#(10n+3)（例えば、サブフレーム#3，#13，#23，#33）からＤＬサブフレーム#(10n+4)（例えば、サブフレーム#4，#14，#24，#34）切り替わるタイミングである。別のタイミングは、ＵＬサブフレーム#(10n+8)（例えば、サブフレーム#8，#18，#28，#38）から、ＤＬサブフレーム#(10n+9)（例えば、サブフレーム#9，#19，#29，#39）に切り替わるタイミングである。このうち、１フレーム内でＤＬサブフレームの番号が最も小さいＤＬサブフレーム#(10n+4)が基地局１００（MeNB）と基地局３００（SeNB）とを切り替えるタイミングとなる。
【０１９２】
よって、図２２に示すように、基地局１００（MeNB。‘Ｍ’）と基地局３００（SeNB。‘Ｓ’）とは、サブフレーム#(10n+4)において１フレーム単位で切り替えられる。
【０１９３】
また、図２２では、複数のDL/Sp/ULセットのうち、以下のDL/Sp/ULセットが基地局の切替前のフレームと切替後のフレームにまたがるため、使用されない。図２２において、基地局の切替前のフレームと切替後のフレームにまたがるDL/Sp/ULセットは、サブフレーム#(10n)，#(10n+1)，#(10n+7)からなる。図２２では、サブフレーム#10，#11，#17と、サブフレーム#20，#21，#27である。これらのサブフレームは、移動局２００に対してにおいて使用されないサブフレームである。また、これらのサブフレームの組み合わせは、図７に示すDL/Sp/ULセットのうち、Set 1に相当する。
【０１９４】
つまり、動作例１では、図７に示すDL/Sp/ULセットのうち、Set 1は、移動局２００に割り当てられない。ただし、連続したフレームが同一基地局に割り当てられる場合（図２２ではサブフレーム#24〜#43）、当該フレーム間で基地局の切替は行われない。よって、移動局２００に対してSet 1（図２２では、サブフレーム#30，#31，#37）も割当可能となる。
【０１９５】
＜Config#2（図２３）＞
図２３において、ＵＬサブフレームからＤＬサブフレームへ切り替わるタイミングは、以下の通りである。切替タイミングの一つは、ＵＬサブフレーム#(10n+2)からＤＬサブフレーム#(10n+3)に切り替わるタイミングである。別のタイミングは、ＵＬサブフレーム#(10n+7)から、ＤＬサブフレーム#(10n+8) に切り替わるタイミングである。このうち、１フレーム内でＤＬサブフレームの番号が最も小さいＤＬサブフレーム#(10n+3)が基地局１００（MeNB）と基地局３００（SeNB）とを切り替えるタイミングとなる。
【０１９６】
よって、図２３に示すように、基地局１００（MeNB。‘Ｍ’）と基地局３００（SeNB。‘Ｓ’）とは、サブフレーム#(10n+3)において１フレーム単位で切り替えられる。
【０１９７】
また、図２３では、複数のDL/Sp/ULセットのうち、以下のDL/Sp/ULセットが基地局の切替前のフレームと切替後のフレームにまたがるため、使用されない。図２３において、基地局の切替前のフレームと切替後のフレームにまたがるDL/Sp/ULセットは、或るフレームのサブフレーム#(10n+9)、及び、次のフレームのサブフレーム#(10n+10)，#(10n+11)，#(10n+17)からなる。図２３では、ＤＬサブフレーム#9，#10，#11及びＵＬサブフレーム#17と、ＤＬサブフレーム#19，#20，#21及びＵＬサブフレーム#27である。
【０１９８】
ただし、これらのサブフレームのうち、ＵＬサブフレーム#17，#27は、UL grant-PUSCHタイミング及びDL assignment(PDSCH)-HARQ ACKタイミングによって他のＤＬサブフレーム#13，#23にもそれぞれ関連付けられている。また、ＤＬサブフレーム#13，#23は、何れも基地局の切替後のサブフレームである。つまり、サブフレーム#13，#17、及び、サブフレーム#23，#27は、基地局の切替前のフレームと切替後のフレームにまたがらないサブフレームの組み合わせである。
【０１９９】
そこで、図２３に示すように、Config#2では、ＵＬサブフレーム#17，#27（サブフレーム#(10n+7)）は、移動局２００に対して使用されるサブフレームとする。よって、図２３では、ＤＬサブフレーム#9，#10，#11及びＤＬサブフレーム#19，#20，#21（サブフレーム#(10n+9)，#(10n+10)，#(10n+11)）が、移動局２００に対して使用されないサブフレームとなる。
【０２００】
つまり、DL/Sp/ULセットが、基地局の切替前のフレームと切替後のフレームにまたがる場合、当該DL/Sp/ULセットに含まれる複数のサブフレームは、移動局２００に対して使用されない。
【０２０１】
さらに、基地局の切替後の同一フレーム内に、あるＵＬサブフレームが属するDL/Sp/ULセットに含まれるＤＬサブフレーム又はスペシャルサブフレームが存在する場合、当該ＵＬサブフレームは移動局２００に対して使用される。例えば、図２３に示すＵＬサブフレーム#(10n+7)は、移動局２００に対して使用される。一方、基地局の切替後の同一フレーム内に、あるＵＬサブフレームが属するDL/Sp/ULセットに含まれるＤＬサブフレーム及びスペシャルサブフレームが存在しない場合、当該ＵＬサブフレームは移動局２００に対して使用されない。例えば、Config#0のＵＬサブフレーム#(10n+12)，#(10n+12)は、移動局２００に対して使用されない。
【０２０２】
また、図２３に示すように、移動局２００に対して使用されないＤＬサブフレーム#9，#10，#11及びＤＬサブフレーム#19，#20，#21の組み合わせは、図８に示すDL/Sp/ULセットのうち、Set 2の一部に相当する。
【０２０３】
つまり、動作例１では、図８に示すDL/Sp/ULセットのうち、Set 2の一部は、移動局２００に対して割り当てられない。ただし、連続したフレームが同一基地局に割り当てられる場合、当該フレーム間で基地局の切替は行われないので、移動局２００に対してSet 2の一部も割当可能となる。例えば、図２３では、サブフレーム#23〜#42は同一基地局に割り当てられるので、Set 2の一であるサブフレーム#29，#30，#31も移動局２００に割当てることができる。
【０２０４】
＜Config#3（図２４）＞
図２４において、ＵＬサブフレームからＤＬサブフレームへ切り替わるタイミングは、ＵＬサブフレーム#(10n+4)とＤＬサブフレーム#(10n+5)である。よって、図２４に示すように、基地局１００（MeNB。‘Ｍ’）と基地局３００（SeNB。‘Ｓ’）とは、ＤＬサブフレーム#(10n+5)において１フレーム単位で切り替えられる。
【０２０５】
また、図２４では、複数のDL/Sp/ULセットのうち、以下のDL/Sp/ULセットが基地局の切替前のフレームと切替後のフレームにまたがるため、使用されない。図２４において、基地局の切替前のフレームと切替後のフレームにまたがるDL/Sp/ULセットは、或るフレームのサブフレーム#(10n+1)、及び、次のフレームのサブフレーム#(10n+12)からなる。図２３では、ＤＬサブフレーム#11及びＵＬサブフレーム#22と、ＤＬサブフレーム#21及びＵＬサブフレーム#32である。
【０２０６】
ただし、Config#2と同様、これらのサブフレームのうち、ＵＬサブフレーム#22，#32は、UL grant-PUSCHタイミング及びDL assignment(PDSCH)-HARQ ACKタイミングによって、他のＤＬサブフレーム#15，#16，#18及びＤＬサブフレーム#25，#26，#28にもそれぞれ関連付けられている。また、上記他のＤＬサブフレームは、何れも基地局の切替後のサブフレームである。つまり、サブフレーム#15，#16，#18，#22、及び、サブフレーム#25，#26，#28，#32は、それぞれ、基地局の切替前のフレームと切替後にまたがらないサブフレームの組み合わせである。
【０２０７】
そこで、図２４に示すように、Config#3では、ＵＬサブフレーム#22，#32（サブフレーム#(10n+2)）は、移動局２００に対して使用されるサブフレームとする。よって、図２４では、ＤＬサブフレーム#11，#21（サブフレーム#(10n+1)）が、移動局２００に対して使用されないサブフレームとなる。ただし、連続したフレームが同一基地局に割り当てられる場合（図２４ではサブフレーム#25〜#44）、当該フレーム間で基地局の切替は行われないので、移動局２００に対してサブフレーム#(10n+1)（図２４では、サブフレーム#31）も割当可能となる。
【０２０８】
＜Config#4（図２５）＞
図２５において、ＵＬサブフレームからＤＬサブフレームへ切り替わるタイミングは、ＵＬサブフレーム#(10n+3)とＤＬサブフレーム#(10n+4)である。よって、図２５に示すように、基地局１００（MeNB。‘Ｍ’）と基地局３００（SeNB。‘Ｓ’）とは、ＤＬサブフレーム#(10n+4)において１フレーム単位で切り替えられる。
【０２０９】
また、図２５では、複数のDL/Sp/ULセットのうち、以下のDL/Sp/ULセットが基地局の切替前のフレームと切替後のフレームにまたがるため、使用されない。図２５において、基地局の切替前のフレームと切替後のフレームにまたがるDL/Sp/ULセットは、或るフレームのサブフレーム#(10n)，#(10n+1)、及び、次のフレームのサブフレーム#(10n+12)からなる。図２５では、ＤＬサブフレーム#10，#11及びＵＬサブフレーム#22と、ＤＬサブフレーム#20，#21及びＵＬサブフレーム#32である。
【０２１０】
ただし、Config#2及びConfig#3と同様、これらのサブフレームのうち、ＵＬサブフレーム#22，#32は、UL grant-PUSCHタイミング及びDL assignment(PDSCH)-HARQ ACKタイミングによって他のＤＬサブフレーム#14，#15，#18及びＤＬサブフレーム#24，#25，#28にもそれぞれ関連付けられている。また、上記他のＤＬサブフレームは、何れも基地局の切替後のサブフレームである。つまり、サブフレーム#14，#15，#18，#22、及び、サブフレーム#24，#25，#28，#32は、それぞれ、基地局の切替前のフレームと切替後のフレームにまたがらないサブフレームの組み合わせである。
【０２１１】
そこで、図２５に示すように、Config#4では、ＵＬサブフレーム#22，#32（サブフレーム#(10n+2)）は、移動局２００に対して使用されるサブフレームとする。よって、図２５では、ＤＬサブフレーム#10，#11，#20，#21（サブフレーム#(10n)，#(10n+1)）が、移動局２００に対して使用されないサブフレームとなる。ただし、連続したフレームが同一基地局に割り当てられる場合（図２５ではサブフレーム#24〜#43）、当該フレーム間で基地局の切替は行われないので、移動局２００に対してサブフレーム#(10n)，#(10n+1)（図２５では、サブフレーム#30，#31）も割当可能となる。
【０２１２】
＜Config#5（図２６）＞
図２６において、ＵＬサブフレームからＤＬサブフレームへ切り替わるタイミングは、ＵＬサブフレーム#(10n+2)とＤＬサブフレーム#(10n+3)である。よって、図２６に示すように、基地局１００（MeNB。‘Ｍ’）と基地局３００（SeNB。‘Ｓ’）とは、ＤＬサブフレーム#(10n+3)において１フレーム単位で切り替えられる。
【０２１３】
また、図２６では、複数のDL/Sp/ULセットのうち、以下のDL/Sp/ULセットが基地局の切替前のフレームと切替後のフレームにまたがるため、使用されない。図２６において、基地局の切替前のフレームと切替後のフレームにまたがるDL/Sp/ULセットは、或るフレームのサブフレーム#(10n+9)、次のフレームのサブフレーム#(10n+10)，#(10n+11)、及び、更に次のフレームのサブフレーム#(10n+22)からなる。図２６では、ＤＬサブフレーム#9，10，#11及びＵＬサブフレーム#22と、ＤＬサブフレーム#19，#20，#21及びＵＬサブフレーム#32である。
【０２１４】
ただし、Config#2〜#4と同様、これらのサブフレームのうち、ＵＬサブフレーム#22，#32は、UL grant-PUSCHタイミング及びDL assignment(PDSCH)-HARQ ACKタイミングによって他のＤＬサブフレーム#13〜#18及びＤＬサブフレーム#23〜#28にもそれぞれ関連付けられている。また、上記他のＤＬサブフレームは、何れも基地局の切替後のサブフレームである。つまり、サブフレーム#13〜#18，#22、及び、サブフレーム#23〜#28，#32は、それぞれ、基地局の切替前のフレームと切替後のフレームにまたがらないサブフレームの組み合わせである。
【０２１５】
そこで、図２６に示すように、Config#5では、ＵＬサブフレーム#22，#32（サブフレーム#(10n+2)）は、移動局２００に対して使用されるサブフレームとする。よって、図２６では、ＤＬサブフレーム#9，#10，#11，#19，#20，#21（サブフレーム#(10n+9)〜#(10n+11)）が、移動局２００に対して使用されないサブフレームとなる。ただし、連続したフレームが同一基地局に割り当てられる場合（図２６ではサブフレーム#23〜#42）、当該フレーム間で基地局の切替は行われないので、移動局２００に対してサブフレーム#(10n+9)〜#(10n+11)（図２６では、サブフレーム#29〜#31）も割当可能となる。
【０２１６】
＜Config#6（図２７）＞
図２７において、ＵＬサブフレームからＤＬサブフレームへ切り替わるタイミングは、ＵＬサブフレーム#(10n+4)とＤＬサブフレーム#(10n+5)、及び、ＵＬサブフレーム#(10n+8)とＤＬサブフレーム#(10n+9)である。このうち、１フレーム内でＤＬサブフレームの番号が最も小さいＤＬサブフレーム#(10n+5)が基地局１００（MeNB）と基地局３００（SeNB）とを切り替えるタイミングとなる。
【０２１７】
よって、図２７に示すように、基地局１００（MeNB。‘Ｍ’）と基地局３００（SeNB。‘Ｓ’）とは、サブフレーム#(10n+5)において１フレーム単位で切り替えられる。
【０２１８】
また、図２７では、複数のDL/Sp/ULセットのうち、以下のDL/Sp/ULセットが基地局の切替前のフレームと切替後のフレームにまたがるため、使用されない。図２６において、基地局の切替前のフレームと切替後のフレームにまたがるDL/Sp/ULセットは、サブフレーム#(10n)，#(10n+1)，#(10n+7)，#(10n+8)である。図２７では、サブフレーム#10，#11，#17，#18と、サブフレーム#20，#21，#27，#28からなる。これらのサブフレームは、基地局１００，３００及び移動局２００において使用されない。これらのサブフレームの組み合わせは、図１２に示すDL/Sp/ULセットのうち、Set 1及びSet 2に相当する。また、これらのサブフレームのうち、ＵＬサブフレーム#(10n+7)，#(10n+8)には、UL grant-PUSCHタイミング又はDL assignment(PDSCH)-HARQ ACKタイミングによって関連付けられた、基地局の切替タイミング（サブフレーム#(10n+5)）よりも後の他のＤＬサブフレーム及びスペシャルサブフレームは存在しない。
【０２１９】
よって、動作例１では、図１２に示すDL/Sp/ULセットのうち、Set 1及びSet 2は、移動局２００に対して割り当てられない。ただし、連続したフレームが同一基地局に割り当てられる場合（図２７ではサブフレーム#25〜#44）、当該フレームで基地局の切替は行われないので、移動局２００に対してSet 1及びSet 2（図２７では、サブフレーム#30，#31，#37，#38）も割当可能となる。
【０２２０】
以上、動作例１における各UL-DL Configuration（Config#0〜Config#6）での基地局１００（MeNB）と基地局３００（SeNB）との切替について説明した。
【０２２１】
このようにして動作例１によれば、移動局２００と通信する基地局がフレーム単位（10msec単位又は１０サブフレーム単位）で切り替えられる。よって、実施の形態１（サブフレーム単位での切替）と比較して、サブフレームの割当指示（つまり、eNB割当情報）に必要となるビット数を削減できる。例えば、４フレーム単位での通知の場合、サブフレームの割当指示に必要となるビット数は、実施の形態１では、Config#1，#2において16ビット又は8ビットである。一方、本実施の形態では、UL-DL Configurationに依らず、サブフレームの割当指示に必要となるビット数は、4ビットとなる。例えば、図２０、図２２〜図２７に示す動作例の場合、各ビットにおいて、MeNBを“0”とし、SeNBを“１”とすると（逆でもよい）、サブフレームの割当指示を表す４ビットは「1011」となる。
【０２２２】
また、動作例１では、short formatを使用しないので、基地局１００又は基地局３００は、基地局の切替を適用する移動局２００に対して、他の移動局と同一のフォーマットを使用できる。
【０２２３】
また、動作例１では、UL grantを通知するＤＬサブフレームと当該UL grantによって割り当てられるPUSCHが送信されるＵＬサブフレームとが基地局の切替前後のフレーム間にまたがる場合、Non-use subframeが発生する。Non-use subframeとは、PUSCHおよびPDSCHとして使用されないＤＬサブフレーム又はＵＬサブフレームである。また、DL assignment(PDSCH)を通知するＤＬサブフレームと当該PDSCHに対するACK/NACKが送信されるＵＬサブフレームとが基地局の切替前後にまたがる場合、Non-use subframeが発生する。しかし、基地局１００又は基地局３００は、移動局２００に対して使用されないサブフレーム（Non-use subframe）を、他の移動局に割り当てることでリソースを有効活用できる。
【０２２４】
なお、動作例１において、実施の形態１で示したguard periodの設定時にshort formatが不要となる条件を満たしている場合には、ＵＬサブフレームからＤＬサブフレームへの切替のタイミングに加え、他の切替タイミング（実施の形態１で示した「ＤＬからＤＬ」、「ＵＬからＵＬ」、「ＤＬからＳｐ」、及び「ＳｐからＵＬ」）において、連続するサブフレームを異なる基地局に割り当ててもよい（つまり、移動局２００と通信する基地局を切り替えてもよい）。
【０２２５】
図２８は、移動局２００にConfig#2が設定された場合の一例を示す。図２８では、実施の形態１と同様にMeNB TAがSeNB TAよりも長いと仮定する。また、ＤＬサブフレームからＤＬサブフレームへの切替タイミングguard periodが、移動局２００が送受信しない期間に収まる条件を満たしているとする。さらに、ＵＬサブフレームからＵＬサブフレームへの切替タイミングにおいて、guard periodが、移動局２００が送受信しない期間に収まる条件を満たしているとする（図１７Ｂおよび図１６Ａ参照）。上記条件は、guard period <= 1/2 (MeNB TA - SeNB TA)である。
【０２２６】
この場合、SeNBのＤＬサブフレームからMeNBのＤＬサブフレームへ切り替える際、連続するサブフレームが使用可能となる。さらに、MeNBのＵＬサブフレーム（スペシャルサブフレームのUpPTS）からSeNBのＵＬサブフレームへ切り替える際にも、連続するサブフレームが使用可能となる。このとき、使用可能となるＤＬサブフレーム及びスペシャルサブフレームは、DL assignment(PDSCH)-HARQ ACKタイミングを参照し、ACK/NACKが送信されるＵＬサブフレームが属する基地局に割り当てられる。例えば、図２８では、ＤＬサブフレーム#9、ＵＬサブフレーム#12,#22において基地局の切替が可能となる。これによって使用可能となるＤＬサブフレーム#9，#10及びスペシャルサブフレーム#11は、DL assignment(PDSCH)-HARQ ACKタイミングによって関連付けられたＵＬサブフレーム#17が属する基地局１００（MeNB）に割り当てられる。
【０２２７】
したがって、この場合、基地局の切替タイミングよりも前のサブフレームが切替後の基地局に割り当てられるので、移動局２００では、基地局の切替時のサブフレームよりも前のサブフレームにおいて、基地局を一旦切り替える動作が行われる。
【０２２８】
なお、MeNBのＤＬサブフレームからSeNBのＤＬサブフレームへ切り替える際には、guard periodを確保するために使用できないサブフレーム（図２８ではサブフレーム#19）が必要である（図１７Ａ参照）。また、SeNBのＵＬサブフレーム（スペシャルサブフレームのUpPTS）からMeNBのＵＬサブフレームへ切り替える際にも、guard periodを確保するため、使用できないサブフレーム（図２８ではサブフレーム#21）が必要である。図２８では、スペシャルサブフレーム（サブフレーム#21）からMeNBのＵＬサブフレーム（サブフレーム#22）へ切り替える際に、DwPTSのみを使用し、UpPTSをguard period に使用する例を示している。
【０２２９】
このようにすると、移動局２００に対して使用できるサブフレーム数が増加し、スループットを向上できる。具体的には、図２８では、図２３よりも、移動局２００に対して使用できないサブフレーム（Non-use subframe）の数が削減されている。
【０２３０】
［動作例２］
以下の説明では、動作例１と同様、基地局１００（MeNB）と基地局３００（SeNB）との間における移動局２００と通信する基地局の切替処理は、１フレーム（10msec）単位で行われる。
【０２３１】
また、動作例１と同様、UL-DL Configurationの各々において、基地局の切替処理のタイミングは、下記のように設定する。すなわち、基地局の切替処理のタイミングを、ＵＬサブフレームからＤＬサブフレーム（スペシャルサブフレーム）への切替のタイミングのうち、サブフレーム番号が最も小さいサブフレームにおけるタイミングに設定する。よって、UL-DL Configuration毎に基地局１００（MeNB）と基地局３００（SeNB）とを切り替えるタイミングは異なる。
【０２３２】
一方、動作例２では、ＵＬサブフレームからＤＬサブフレームへ切り替わるタイミングでのguard periodを確保するために、基地局の切替タイミングにおける切替直後のＤＬサブフレームをguard periodとして設定する。つまり、当該ＤＬサブフレームは、移動局２００に対して１サブフレーム全体が使用されない。以下、guard periodとして設定されるＤＬサブフレームを「guard subframe」と呼ぶ。
【０２３３】
すなわち、動作例２では、各UL-DL Configurationにおける基地局の切替タイミングは動作例１（図２０、図２２〜図２７）と同様である。そして、切替直後のＤＬサブフレームが使用できないguard subframeとなる点が動作例１と異なる。
【０２３４】
以下、動作例２における各UL-DL Configuration（Config#0〜Config#6）での基地局１００（MeNB）と基地局３００（SeNB）との切替の動作について図２９〜図３５を用いて具体的に説明する。
【０２３５】
＜Config#0（図２９）＞
基地局１００（MeNB）と基地局３００（SeNB）とを切り替えるタイミングは、サブフレーム#(10n)（図２９ではサブフレーム#10，#20）である。よって、図２９に示すサブフレーム#10，#20は、guard subframeとして設定され、移動局２００には割り当てられない。
【０２３６】
また、サブフレーム#(10n)が割り当てられないことにより、サブフレーム#(10n+4)も移動局２００に対して使用されない。サブフレーム#(10n+4)は、UL grant-PUSCHタイミング及びDL assignment(PDSCH)-HARQ ACKタイミングによってサブフレーム#(10n)と関連付けられているからであるｓ。サブフレーム#(10n)，#(10n+4)の組み合わせは、図６に示すDL/Sp/ULセットのうち、Set 1に相当する。
【０２３７】
つまり、動作例２では、図６に示すDL/Sp/ULセットのうち、動作例１と同様のSet 4に加えてSet 1が、移動局２００に対して使用されないサブフレーム（Non-use subframe）となる。
【０２３８】
＜Config#1（図３０）＞
基地局１００（MeNB）と基地局３００（SeNB）とを切り替えるタイミングは、サブフレーム#(10n+4)（図３０ではサブフレーム#14，#24）である。よって、図３０に示すサブフレーム#14，#24は、guard subframeとして設定され、移動局２００に割り当てられない。
【０２３９】
また、サブフレーム#(10n+4)が割り当てられないことにより、サブフレーム#(10n+8)も、移動局２００に対して使用されない。サブフレーム#(10n+8)は、UL grant-PUSCHタイミング及びDL assignment(PDSCH)-HARQ ACKタイミングによって、サブフレーム#(10n+4)と関連付けられているからである。サブフレーム#(10n+4)，#(10n+8)の組み合わせは、図７に示すDL/Sp/ULセットのうち、Set 2に相当する。
【０２４０】
つまり、動作例２では、図７に示すDL/Sp/ULセットのうち、動作例１と同様のSet 1に加えてSet 2が、移動局２００に対して使用されないサブフレームとなる。
【０２４１】
＜Config#2（図３１）＞
基地局１００（MeNB）と基地局３００（SeNB）とを切り替えるタイミングは、サブフレーム#(10n+3)（図３１ではサブフレーム#13，#23）である。よって、図３１に示すサブフレーム#13，#23は、guard subframeとして設定され、移動局２００に割り当てられない。
【０２４２】
また、サブフレーム#(10n+3)が割り当てられないことにより、サブフレーム#(10n+7)も移動局２００に対して使用されない。サブフレーム#(10n+7)は、UL grant-PUSCHタイミング及びDL assignment(PDSCH)-HARQ ACKタイミングによってサブフレーム#(10n+3)と関連付けられているからである。サブフレーム#(10n+3)，#(10n+7)の組み合わせは、図８に示すDL/Sp/ULセットのうち、Set 2の一部に相当する。より詳細には、サブフレーム#(10n+3)，#(10n+7)の組み合わせは、Set 2のうち、動作例１（図２３）において移動局２００に対して使用されないサブフレーム以外の残りのサブフレームである。
【０２４３】
つまり、動作例２では、図８に示すDL/Sp/ULセットのうち、動作例１と同様のSet 2の一部に加えてSet 2の残りのサブフレーム、移動局２００に対して使用されない。つまり、Set 2に含まれる全てのサブフレームが、移動局２００に対して使用されない。
【０２４４】
＜Config#3（図３２）＞
基地局１００（MeNB）と基地局３００（SeNB）とを切り替えるタイミングは、サブフレーム#(10n+5)（図３２ではサブフレーム#15，#25）である。よって、図３２に示すサブフレーム#15，#25は、guard subframeとして設定され、移動局２００に割り当てられない。
【０２４５】
ここで、図９に示すように、DL assignment(PDSCH)-HARQ ACKタイミングによってＤＬサブフレーム#(10n+5)と関連付けられたＵＬサブフレーム#(10n+12)は、基地局の切替タイミングよりも後のＤＬサブフレーム#(10n+6)にも関連付けられている。そこで、移動局２００に対して、ＤＬサブフレーム#(10n+5)（図３２ではサブフレーム#15，#25）は使用されないのに対して、ＵＬサブフレーム#(10n+12)（図３２ではサブフレーム#22，#32）は使用される。
【０２４６】
つまり、動作例２では、動作例１と同様のサブフレーム#(10n+1)に加えて、サブフレーム#(10n+5)が、移動局２００に対して使用されないサブフレームとなる。
【０２４７】
＜Config#4（図３３）＞
基地局１００（MeNB）と基地局３００（SeNB）とを切り替えるタイミングは、サブフレーム#(10n+4)（図３３ではサブフレーム#14，#24）である。よって、図３３に示すサブフレーム#14，#24は、guard subframeとして設定され、移動局２００に割り当てられない。
【０２４８】
ここで、図１０に示すように、DL assignment(PDSCH)-HARQ ACKタイミングによってＤＬサブフレーム#(10n+4)と関連付けられたＵＬサブフレーム#(10n+12)は、基地局の切替タイミングよりも後のＤＬサブフレーム#(10n+5)にも関連付けられている。そこで、移動局２００に対して、ＤＬサブフレーム#(10n+4)（図３３ではサブフレーム#14，#24）は使用されないのに対して、ＵＬサブフレーム#(10n+12)（図３３ではサブフレーム#22，#32）は使用される。
【０２４９】
つまり、動作例２では、動作例１と同様のサブフレーム#(10n)，#(10n+1)に加えてサブフレーム#(10n+4)が、移動局２００に対して使用されないサブフレームとなる。
【０２５０】
＜Config#5（図３４）＞
基地局１００（MeNB）と基地局３００（SeNB）とを切り替えるタイミングは、サブフレーム#(10n+3)（図３４ではサブフレーム#13，#23）である。よって、図３４に示すサブフレーム#13，#23は、guard subframeとして設定され、移動局２００に割り当てられない。
【０２５１】
ここで、図１１に示すように、DL assignment(PDSCH)-HARQ ACKタイミングによってＤＬサブフレーム#(10n+3)と関連付けられたＵＬサブフレーム#(10n+12)は、基地局の切替タイミングよりも後のＤＬサブフレーム#(10n+4)〜#(10n+8)にも関連付けられている。そこで、移動局２００に対して、ＤＬサブフレーム#(10n+3)（図３４ではサブフレーム#13，#23）は使用されないのに対して、ＵＬサブフレーム#(10n+12)（図３４ではサブフレーム#22，#32）は使用される。
【０２５２】
つまり、動作例２では、動作例１と同様のサブフレーム#(10n+9)，#(10n+10)，#(10n+11)に加えて、サブフレーム#(10n+13)が、移動局２００に対して使用されないサブフレームとなる。
【０２５３】
＜Config#6（図３５）＞
基地局１００（MeNB）と基地局３００（SeNB）とを切り替えるタイミングは、サブフレーム#(10n+5)（図３５ではサブフレーム#15，#25）である。よって、図３５に示すサブフレーム#15，#25は、guard subframeとして設定され、移動局２００に割り当てられない。
【０２５４】
また、サブフレーム#(10n+5)が割り当てられないことにより、サブフレーム#(10n+12)も移動局２００に対して使用されない。サブフレーム#(10n+12)は、UL grant-PUSCHタイミング及びDL assignment(PDSCH)-HARQ ACKタイミングによって、サブフレーム#(10n+5)と関連付けられているからである。サブフレーム#(10n+5)，#(10n+12)の組み合わせは、図１２に示すDL/Sp/ULセットのうち、Set 3に相当する。
【０２５５】
つまり、動作例２では、図１２に示すDL/Sp/ULセットのうち、動作例１と同様のSet 1，2に加えてSet 3が、移動局２００に対して使用されないサブフレームとなる。
【０２５６】
以上、動作例２における各UL-DL Configuration（Config#0〜Config#6）での基地局１００（MeNB）と基地局３００（SeNB）との切替について説明した。
【０２５７】
このようにして動作例２によれば、動作例１と同様、移動局２００と通信する基地局がフレーム単位（10msec単位又は１０サブフレーム単位）で切り替えられる。よって、実施の形態１（サブフレーム単位での切替）と比較して、サブフレームの割当指示（つまり、eNB割当情報）に必要となるビット数を削減できる。
【０２５８】
また、動作例２によれば、基地局の切替時のサブフレームのうち、切替後のサブフレームをguard subframeに設定するので、基地局切替時のguard periodのための期間を十分に確保することができる。よって、動作例２は、特に、基地局１００，３００と移動局２００との間の伝搬遅延が短い。したがって、ＵＬサブフレームからＤＬサブフレームに切り替える際に、guard periodを確保できない場合に有効である。
【０２５９】
また、動作例２では、guard subframeとして設定されたＤＬサブフレームに関連付けられたＵＬサブフレームが使用できなくなる可能性が増加する。しかし、基地局１００，３００及び移動局２００において、基地局の切替時のサブフレームの使用可否を判断する必要が無い。よって、実施の形態１と比較して、基地局１００，３００及び移動局２００での処理を簡易化することができる。具体的には、基地局１００，３００（図４）及び移動局２００（図５）において、TA情報生成部１０２，３０２及びTA情報受信部２０６から、信号割当部１０５，２０９，３０５及び信号分離部１０８，２０２，３０８への、使用できないサブフレームの指示が不要となる。代わりに、信号割当部１０５，２０９，３０５及び信号分離部１０８，２０２，３０８は、常に基地局の切替時のサブフレーム（guard subframe）は使用できないと判断すればよい。
【０２６０】
以上、実施の形態２の動作例１及び動作例２について説明した。
【０２６１】
［実施の形態２のバリエーション１］
上記実施の形態において、移動局２００に対して使用されないサブフレームには、UL grant-PUSCHタイミング及びDL assignment(PDSCH)-HARQ ACKタイミングに従って割り当てられる信号以外の信号が割り当てられてもよい。
【０２６２】
例えば、移動局２００に使用されないサブフレーム（Non-use subframe）のうち、UL grant-PUSCHタイミングに関連しないＵＬサブフレームのＵＬリソースを他の用途に使用してもよい。上記他の用途としては、例えば、以下が挙げられる。一つの例は、SPS（Semi Persist Scheduling）によりＵＬリソースを予め割り当てることができるPUSCHである。別の例は、上位レイヤによりＵＬリソースが周期的に割り当てられるSRS（Sounding Reference Signal）である。これらの例に限られず、割当情報（grant）が通知されなくても送信可能な信号が挙げられる。又は、移動局２００に使用されないサブフレームをCQIレポートに使用してもよい。また、スペシャルサブフレームのUpPTSは、RACHの送信に使用してもよい。
【０２６３】
また、移動局２００に使用されないサブフレーム（Non-use subframe）のうち、DL assignment(PDSCH)-HARQ ACKタイミングに関連しないＤＬサブフレームのＤＬリソースを他の用途に使用してもよい。上記他の用途としては、例えば、以下が挙げられる。一つの例は、MIB（Master Information Block）、SIB（System Information Block）等の報知情報である。別の例は、PSS（Primary Synchronization Signal）/SSS（Secondary Synchronization Signal）等の同期用信号である。さらに、CRS（Cell-specific Reference Signal）等のメジャメント用の信号である。これらの例に限られず、ACK/NACKを必要としない信号が挙げられる。
【０２６４】
これにより、移動局２００に対して使用されないＵＬリソース及びＤＬリソースを有効に活用することできる。
【０２６５】
［実施の形態２のバリエーション２］
上記動作例１及び動作例２において、移動局２００に対して使用されないサブフレーム（Non-use subframe）が３サブフレーム以上連続する場合、これらの使用されないサブフレームを以下のように使用してもよい。当該３サブフレーム以上のサブフレームのうち、両端のサブフレームを基地局の切替処理に（すなわち、guard subframeとして）使用してもよい。さらに、当該３サブフレーム以上のサブフレームのうち、両隊のサブフレーム以外の中間のサブフレームを移動局２００に対するデータ割当に使用してもよい。
【０２６６】
このとき、使用可能となるＤＬサブフレームは、DL assignment(PDSCH)-HARQ ACKタイミングを参照して、ACK/NACKが送信されるＵＬサブフレームが属する基地局に割り当てられる。したがって、基地局の切替タイミングよりも前のサブフレームが切替後の基地局に割り当てられるので、移動局２００では、基地局の切替時のサブフレームよりも前のサブフレームにおいて、基地局を一旦切り替える動作が行われる。
【０２６７】
図３６は、一例として、Config#2の場合のバリエーション２の動作を示す。動作例２では、Config#2（図３１参照）において連続するサブフレーム#9，#10，#11、及び、サブフレーム#19，#20，#21が使用できないサブフレームである。そこで、図３６では、両端のサブフレーム#9，#11及びサブフレーム#19，#21をguard subframeとし、中間のサブフレーム#10，#20を使用可能とする。
【０２６８】
また、サブフレーム#10で送信されたPDSCHに対するACK/NACKが送信されるサブフレームはサブフレーム#17であり、サブフレーム#20で送信されたPDSCHに対するACK/NACKが送信されるサブフレームはサブフレーム#27である。そこで、ＤＬサブフレーム#10，#20は、ＵＬサブフレーム#17，#27がそれぞれ所属する基地局と同一の基地局に割り当てられる。
【０２６９】
これにより、移動局２００において使用できるサブフレーム数が増加し、スループットを向上できる。
【０２７０】
以上、本開示の実施の形態について説明した。
【０２７１】
［他の実施の形態］
また、上記実施の形態では、本開示をハードウェアで構成する場合を例にとって説明したが、本開示はハードウェアとの連携においてソフトウェアで実現することも可能である。
【０２７２】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２７３】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２７４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２７５】
以上、本開示に係る基地局装置は、複数の基地局装置と通信する移動局装置に設定された構成パターンに含まれる複数のサブフレームの割当てを示す割当情報に基づいて割り当てられたサブフレームに、移動局装置に送信する信号を配置し、上記構成パターンは、ダウンリンクサブフレーム及びアップリンクサブフレームを含む複数のサブフレームからなるフレームのための複数の構成パターンの一つである、割当部と、移動局装置から信号を受信し、割当情報に基づいて、受信した信号から、自装置宛ての信号を分離する分離部と、を具備し、複数の構成パターンの各々には、上り回線割当情報が送信されるダウンリンクサブフレームと、上り回線割当情報によって割り当てられた上り信号が送信されるアップリンクサブフレームとが関連付けられた第１の対応付け、及び、下り回線割当情報と下り回線割当情報によって割り当てられた下り信号とが送信されるダウンリンクサブフレームと、下り信号に対する応答信号が送信されるアップリンクサブフレームとが関連付けられた第２の対応付け、が設定され、複数の構成パターンの各々は、第１の対応付け及び第２の対応付けによって関連付けられたサブフレームで構成されるセットを複数個含み、複数のサブフレームは、セット単位で複数の基地局装置の各々に対して割り当てられる。
【０２７６】
本開示に係る基地局装置において、上記移動局装置が通信する基地局装置の切替処理はサブフレーム単位で行われ、上記複数の基地局装置は、第１の基地局装置と第２の基地局装置とを含み、第１の基地局装置と移動局装置との間の第１のタイミングアドバンス（ＴＡ：Timing advance）、第２の基地局装置と移動局装置との間の第２のＴＡ、及び、第１の基地局装置に割り当てられるサブフレームと第２の基地局装置に割り当てられるサブフレームとの切替タイミングに基づいて、移動局装置における基地局装置の切替処理に要する時間を設定するために、切替タイミングの直前又は直後のサブフレーム内のシンボルを削減するか否かが判断される判断部、をさらに具備する。
【０２７７】
本開示に係る基地局装置において、アップリンクサブフレームからダウンリンクサブフレームへ切り替えるタイミングで、切替処理が行われる場合、判断部は、切替処理に要する時間が第１のＴＡと前記第２のＴＡとの合計値の１／２の値以下の場合は、切替タイミングの直前又は直後のサブフレーム内のシンボルは削減されないと判断し、切替処理に要する時間が合計値の１／２の値よりも大きい場合は、切替タイミングの直前又は直後のサブフレーム内のシンボルは削減されると判断する。
【０２７８】
本開示に係る基地局装置において、アップリンクサブフレームからアップリンクサブフレームへ切り替わるタイミングで、切替処理が行われ、かつ、第１のＴＡ及び前記第２のＴＡにおいて、切替前のアップリンクサブフレームが割り当てられた基地局装置のＴＡが、切替後のアップリンクサブフレームが割り当てられた他の基地局装置のＴＡよりも長い場合、判断部は、切替処理に要する時間が前記第１のＴＡと前記第２のＴＡとの差の１／２の値以下の場合は、切替タイミングの直前又は直後のサブフレーム内のシンボルは削減されないと判断し、切替処理に要する時間が差の１／２の値よりも大きい場合は、切替タイミングの直前又は直後のサブフレーム内のシンボルは削減されると判断する。
【０２７９】
本開示に係る基地局装置において、ダウンリンクサブフレームからダウンリンクサブフレームへ切り替わるタイミングで切替処理が行われ、かつ、第１のＴＡ及び第２のＴＡにおいて、切替前のダウンリンクサブフレームが割り当てられた基地局のＴＡが、切替後のダウンリンクサブフレームが割り当てられた他の基地局装置のＴＡよりも短い場合、判断部は、切替処理に要する時間が第１のＴＡと第２のＴＡとの差の１／２の値以下の場合は、切替タイミングの直前又は直後のサブフレーム内のシンボルは削減されないと判断し、切替処理に要する時間が差の１／２の値よりも大きい場合は、切替タイミングの直前又は直後のサブフレーム内のシンボルは削減されると判断する。
【０２８０】
本開示に係る基地局装置において、移動局装置が通信する基地局の切替処理は１フレーム単位で行われ、複数の構成パターンの各々において、切替処理のタイミングは、アップリンクサブフレームからダウンリンクサブフレームへ切り替わるタイミングのうち、サブフレーム番号が最も小さいサブフレームを含むフレームのタイミングである。
【０２８１】
本開示に係る基地局装置において、移動局装置に設定された構成パターンに含まれる複数のセットのうち一つのセットに含まれるダウンリンクサブフレームとアップリンクサブフレームとが、切替タイミング直前のフレームと直後のフレームにまたがる場合、ダウンリンクサブフレームは移動局装置に対して使用されず、さらに、第１の対応付け又は第２の対応付けによってアップリンクサブフレームと関連付けられた、切替タイミングよりも後に配置された他のダウンリンクサブフレームが存在する場合、当該アップリンクサブフレームは移動局装置に対して使用され、他のダウンリンクサブフレームが存在しない場合、当該アップリンクサブフレームは移動局装置に対して使用されない。
【０２８２】
本開示に係る基地局装置において、切替処理のタイミングにおける切替直後のダウンリンクサブフレームは切替処理に要する時間として設定される。
【０２８３】
本開示に係る基地局装置において、移動局装置に対して使用されないダウンリンクサブフレーム又はアップリンクサブフレームには、第１の対応付け及び前記第２の対応付けに従って割り当てられる信号以外の信号が割り当てられる。
【０２８４】
本開示に係る基地局装置において、移動局装置に対して使用されないダウンリンクサブフレーム又はアップリンクサブフレームが３サブフレーム以上連続する場合、３サブフレーム以上のサブフレームのうち、両端のサブフレームは、切替処理に使用され、３サブフレーム以上のサブフレームのうち、両端のサブフレーム以外のサブフレームは、移動局装置に対するデータ割当に使用される。
【０２８５】
本開示に係る移動局装置は、複数の基地局装置から信号を受信し、自装置に設定された構成パターンに含まれる複数のサブフレームの割当てを示す割当情報に基づいて、受信した信号から、複数の基地局装置の各々から送信される信号をそれぞれ分離し、上記構成パターンは、ダウンリンクサブフレーム及びアップリンクサブフレームを含む複数のサブフレームからなるフレームのための複数の構成パターンの一つである、分離部と、割当情報に基づいて、複数の基地局装置の各々に送信する信号をそれぞれ割り当てる割当部と、を具備し、複数の構成パターンの各々には、上り回線割当情報が送信されるダウンリンクサブフレームと、上り回線割当情報によって割り当てられた上り信号が送信されるアップリンクサブフレームとが関連付けられた第１の対応付け、及び、下り回線割当情報と下り回線割当情報によって割り当てられた下り信号とが送信されるダウンリンクサブフレームと、下り信号に対する応答信号が送信されるアップリンクサブフレームとが関連付けられた第２の対応付け、が設定され、複数の構成パターンの各々は、第１の対応付け及び第２の対応付けによって関連付けられたサブフレームで構成されるセットを複数個含み、複数のサブフレームは、セット単位で複数の基地局装置の各々に対して割り当てられる。
【０２８６】
本開示に係る通信方法は、複数の基地局装置と通信する移動局装置に設定された構成パターンに含まれる複数のサブフレームの割当てを示す割当情報に基づいて割り当てられたサブフレームに、移動局装置に送信する信号を配置し、上記構成パターンは、ダウンリンクサブフレーム及びアップリンクサブフレームを含む複数のサブフレームからなるフレームのための複数の構成パターンの一つであり、移動局装置から信号を受信し、割当情報に基づいて、受信した信号から、自装置宛ての信号を分離し、複数の構成パターンの各々には、上り回線割当情報が送信されるダウンリンクサブフレームと、上り回線割当情報によって割り当てられた上り信号が送信されるアップリンクサブフレームとが関連付けられた第１の対応付け、及び、下り回線割当情報と下り回線割当情報によって割り当てられた下り信号とが送信されるダウンリンクサブフレームと、下り信号に対する応答信号が送信されるアップリンクサブフレームとが関連付けられた第２の対応付け、が設定され、複数の構成パターンに含まれるサブフレームは、第１の対応付け及び第２の対応付けによって関連付けられたサブフレームで構成されるセットを複数個含み、複数のサブフレームは、セット単位で複数の基地局装置の各々に対して割り当てられる。
【０２８７】
本開示に係る通信方法は、複数の基地局装置から信号を受信し、自装置に設定された構成パターンに含まれる複数のサブフレームの割当てを示す割当情報に基づいて、受信した信号から、複数の基地局装置の各々から送信される信号をそれぞれ分離し、上記構成パターンは、ダウンリンクサブフレーム及びアップリンクサブフレームを含む複数のサブフレームからなるフレームのための複数の構成パターンの一つであり、、割当情報に基づいて、複数の基地局装置の各々に送信する信号をそれぞれ割り当て、複数の構成パターンの各々には、上り回線割当情報が送信されるダウンリンクサブフレームと、上り回線割当情報によって割り当てられた上り信号が送信されるアップリンクサブフレームとが関連付けられた第１の対応付け、及び、下り回線割当情報と下り回線割当情報によって割り当てられた下り信号とが送信されるダウンリンクサブフレームと、下り信号に対する応答信号が送信されるアップリンクサブフレームとが関連付けられた第２の対応付け、が設定され、複数の構成パターンの各々は、第１の対応付け及び第２の対応付けによって関連付けられたサブフレームで構成されるセットを複数個含み、複数のサブフレームは、セット単位で複数の基地局装置の各々に対して割り当てられる。
【産業上の利用可能性】
【０２８８】
本開示は、移動通信システム等に有用である。
【符号の説明】
【０２８９】
１００，３００  基地局
２００  移動局
１０１  eNB割当情報生成部
１０２，３０２  TA情報生成部
１０３，２０７，３０３  誤り訂正符号化部
１０４，２０８，３０４  変調部
１０５，２０９，３０５  信号割当部
１０６，２１０，３０６  送信部
１０７，２０１，３０７  受信部
１０８，２０２，３０８  信号分離部
１０９，２０３，３０９  復調部
１１０，２０４，３１０  誤り訂正復号部
２０５，３０１  eNB割当情報受信部
２０６  TA情報受信部
【図１】
2015045234.tif 000012
【図２】
2015045234.tif 000013
【図３】
2015045234.tif 000014
【図４】
2015045234.tif 000015
【図５】
2015045234.tif 000016
【図６】
2015045234.tif 000017
【図７】
2015045234.tif 000018
【図８】
2015045234.tif 000019
【図９】
2015045234.tif 000020
【図１０】
2015045234.tif 000021
【図１１】
2015045234.tif 000022
【図１２】
2015045234.tif 000023
【図１３】
2015045234.tif 000024
【図１４】
2015045234.tif 000025
【図１５】
2015045234.tif 000026
【図１６】
2015045234.tif 000027
【図１７】
2015045234.tif 000028
【図１８】
2015045234.tif 000029
【図１９】
2015045234.tif 000030
【図２０】
2015045234.tif 000031
【図２１】
2015045234.tif 000032
【図２２】
2015045234.tif 000033
【図２３】
2015045234.tif 000034
【図２４】
2015045234.tif 000035
【図２５】
2015045234.tif 000036
【図２６】
2015045234.tif 000037
【図２７】
2015045234.tif 000038
【図２８】
2015045234.tif 000039
【図２９】
2015045234.tif 000040
【図３０】
2015045234.tif 000041
【図３１】
2015045234.tif 000042
【図３２】
2015045234.tif 000043
【図３３】
2015045234.tif 000044
【図３４】
2015045234.tif 000045
【図３５】
2015045234.tif 000046
【図３６】
2015045234.tif 000047
【国際調査報告】
2015045234.tif 000048
2015045234.tif 000049
2015045234.tif 000050